(57)【特許請求の範囲】
【請求項１】
無線送信／受信ユニット（ＷＴＲＵ）であって、
メモリと、
前記ＷＴＲＵがトリガされて直接リンク上で１つまたは複数の他のＷＴＲＵにメッセージを送信するように構成されたことのインジケーションを送信し、
トリガメッセージをサーバから受信し、前記トリガメッセージは、前記直接リンク上で前記ＷＴＲＵによって送信されることになる発見メッセージに関連した情報を備え、前記サーバは、アプリケーションサーバまたは近接サービス（ＰｒｏＳｅ）機能のうちの１つを備え、
応答メッセージを前記サーバへ送信し、前記応答メッセージは、前記トリガメッセージの前記受信を表示しており、
前記トリガメッセージに基づいて、前記直接リンク上で前記発見メッセージを送信する
ように構成されたプロセッサと
を備えたことを特徴とするＷＴＲＵ。
【請求項２】
前記発見メッセージは、前記直接リンク上で送信され、ＰＣ５インタフェース参照ポイントを通ることを特徴とする請求項１に記載のＷＴＲＵ。
【請求項３】
前記プロセッサは、少なくとも１つのＰｒｏＳｅパラメータに基づいて、前記直接リンク上で前記発見メッセージの前記送信を開始するようにさらに構成されたことを特徴とする請求項１に記載のＷＴＲＵ。
【請求項４】
前記トリガメッセージは、マシンタイプ通信（ＭＴＣ）トリガメッセージであることを特徴とする請求項１に記載のＷＴＲＵ。
【請求項５】
前記ＭＴＣトリガメッセージは、ショートメッセージサービス（ＳＭＳ）メッセージであることを特徴とする請求項４に記載のＷＴＲＵ。
【請求項６】
前記発見メッセージに関連した前記情報は、１つまたは複数のＰｒｏＳｅコードを備えることを特徴とする請求項１に記載のＷＴＲＵ。
【請求項７】
前記ＷＴＲＵがトリガされて直接リンク上で前記１つまたは複数の他のＷＴＲＵに前記メッセージを送信するように構成されたことの前記インジケーションは、前記ＷＴＲＵによって実行されることになる直接通信に関連した構成情報を備えることを特徴とする請求項１に記載のＷＴＲＵ。
【請求項８】
前記ＷＴＲＵは、ゲートウェイＷＴＲＵ（ＧＷＴＲＵ）として動作することができることを特徴とする請求項１に記載のＷＴＲＵ。
【請求項９】
無線送信／受信ユニット（ＷＴＲＵ）をトリガするための方法であって、
前記ＷＴＲＵがトリガされて直接リンク上で１つまたは複数の他のＷＴＲＵにメッセージを送信するように構成されたことのインジケーションを、前記ＷＴＲＵが送信するステップと、
前記ＷＴＲＵが、トリガメッセージをサーバから受信するステップであって、前記トリガメッセージは、直接リンク上で前記ＷＴＲＵによって送信されることになる発見メッセージに関連した情報を備え、前記サーバは、アプリケーションサーバまたは近接サービス（ＰｒｏＳｅ）機能のうちの１つを備える、ステップと、
前記ＷＴＲＵが、応答メッセージを前記サーバへ送信するステップであって、前記応答メッセージは、前記トリガメッセージの前記受信を表示している、ステップと、
前記ＷＴＲＵが、前記トリガメッセージに基づいて、前記直接リンク上で前記発見メッセージを送信するステップと
を含むことを特徴とする方法。
【請求項１０】
前記発見メッセージは、前記直接リンク上で送信され、ＰＣ５インタフェース参照ポイントを通ることを特徴とする請求項９に記載の方法。
【請求項１１】
前記発見メッセージの前記送信は、少なくとも１つのＰｒｏＳｅパラメータに基づいて、前記直接リンク上で開始されることを特徴とする請求項９に記載の方法。
【請求項１２】
前記トリガメッセージは、マシンタイプ通信（ＭＴＣ）トリガメッセージであることを特徴とする請求項９に記載の方法。
【請求項１３】
前記ＭＴＣトリガメッセージは、ショートメッセージサービス（ＳＭＳ）メッセージであることを特徴とする請求項１２に記載の方法。
【請求項１４】
前記発見メッセージに関連した前記情報は、ＰｒｏＳｅコードを備えることを特徴とする請求項９に記載の方法。
【請求項１５】
前記ＷＴＲＵがトリガされて直接リンク上で前記１つまたは複数の他のＷＴＲＵに前記メッセージを送信するように構成されたことの前記インジケーションは、前記ＷＴＲＵによって実行されることになる直接通信に関連した構成情報を備えることを特徴とする請求項９に記載の方法。
【請求項１６】
前記ＷＴＲＵは、ゲートウェイＷＴＲＵ（ＧＷＴＲＵ）として動作することができることを特徴とする請求項９に記載の方法。
【発明の詳細な説明】
【技術分野】
【０００１】
本発明は、無線通信に関する。
【背景技術】
【０００２】
（関連出願の相互参照）
本出願は、参照によりその内容全体がそれぞれ本明細書に組み込まれている、２０１４年５月７日に出願した米国特許仮出願第６１／９９０，０４７号明細書の利益を主張するものである。
【０００３】
近接サービス（proximity service）は、マシンタイプ通信（ＭＴＣ）デバイスを含み得る、ワイヤレス送信／受信デバイスなどのデバイス間の直接の通信に関し得る。グループトリガ（group triggering）は、システムの様々なレベルにおいて、大量の情報が送信されることを必要とし、シグナリングを生成することがある。
【発明の概要】
【０００４】
３ＧＰＰにおけるマシンタイプ通信グループ通信を可能にするシステム、方法、および手段が開示される。
【０００５】
ワイヤレス送信／受信ユニット（ＷＴＲＵ）が、メモリと、プロセッサとを有することが可能である。例えば、そのＷＴＲＵが、サービス機能サーバ（ＳＣＳ（service capability server））またはアプリケーションサーバ（ＡＳ）からマシンタイプ通信（ＭＴＣ）トリガメッセージを受信するように構成されたプロセッサを有することが可能である。ＭＴＣトリガメッセージは、ＭＴＣトリガメッセージが第２のＷＴＲＵに適用可能であるというインジケーションを備えることが可能である。ＷＴＲＵは、ＭＴＣトリガメッセージに基づいて第２のＷＴＲＵに関するグループ識別を決定するように構成されたプロセッサを有することが可能である。ＷＴＲＵは、第２のＷＴＲＵに関する決定されたグループ識別を第２のＷＴＲＵに関する個別のＷＴＲＵ識別に変換するように構成されたプロセッサを有することが可能である。ＷＴＲＵは、第２のＷＴＲＵにＭＴＣトリガメッセージを送信するように構成されたプロセッサを有することが可能である。ＷＴＲＵは、第２のＷＴＲＵから確認インジケーションを受信するように構成されたプロセッサを有することが可能である。
【０００６】
ＷＴＲＵは、モビリティ管理エンティティ（ＭＭＥ）に第１の非アクセススペクトル（ＮＡＳ）メッセージを送信するように構成されたプロセッサを有することが可能である。第１のＮＡＳメッセージは、ＷＴＲＵがゲートウェイＷＴＲＵ（ＧＷＴＲＵ）として動作することができることを示すことが可能である。第１のＮＡＳメッセージは、アタッチ要求メッセージまたは追跡エリア更新要求メッセージであることが可能である。ＷＴＲＵは、発展型ノードＢ（ｅＮＢ）から無線リソース制御（ＲＲＣ）メッセージを受信するように構成されたプロセッサを有することが可能である。ＲＲＣメッセージは、ＧＷＴＲＵ構成を含むことが可能である。ＧＷＴＲＵ構成は、ＧＷＴＲＵとして動作するようにＷＴＲＵを構成するのに使用され得る。ＷＴＲＵは、ＭＭＥから第２のＮＡＳメッセージを受信するように構成されたプロセッサを有することが可能である。第２のＮＡＳメッセージは、ＷＴＲＵがＧＷＴＲＵとして動作することが可能であることを示すことが可能である。第２のＮＡＳメッセージは、アタッチ承認メッセージまたは追跡エリア更新承認メッセージであることが可能である。ＷＴＲＵは、ＭＭＥに、ＷＴＲＵがＧＷＴＲＵとして動作するのを停止することが可能であることを示すメッセージを送信するように構成されたプロセッサを有することが可能である。
【０００７】
ＷＴＲＵは、発展型ノードＢ（ｅＮＢ）に第１の無線リソース制御（ＲＲＣ）メッセージを送信するように構成されたプロセッサを有することが可能である。第１のＲＲＣメッセージは、ＷＴＲＵがゲートウェイＷＴＲＵ（ＧＷＴＲＵ）として動作することができ得ることを示すことが可能である。ＷＴＲＵは、発展型ノードＢ（ｅＮＢ）から第２の無線リソース制御（ＲＲＣ）メッセージを受信するように構成されたプロセッサを有することが可能である。第２のＲＲＣメッセージは、ＷＴＲＵがＧＷＴＲＵとして動作することを許すことが可能なＷＴＲＵに関する構成を含むことが可能である。ＷＴＲＵは、ｅＮＢに、ＷＴＲＵがＧＷＴＲＵとして動作するのを停止することが可能であることを示すメッセージを送信するように構成されたプロセッサを有することが可能である。
【０００８】
ＷＴＲＵは、ＳＣＳまたはＡＳに、ＷＴＲＵがゲートウェイＷＴＲＵ（ＧＷＴＲＵ）として動作することができるというインジケーションを送信するように構成されたプロセッサを有することが可能である。ＷＴＲＵは、近接ベースのサービス（ＰｒｏＳｅ（proximity based service））サーバから、ＧＷＴＲＵとして動作するインジケーションを受信するように構成されたプロセッサを有することが可能である。ＷＴＲＵは、ＳＣＳまたはＡＳからアプリケーション層メッセージを受信するように構成されたプロセッサを有することが可能である。アプリケーション層メッセージは、ＷＴＲＵがＧＷＴＲＵとして動作することを許すことが可能なＷＴＲＵに関する構成を含むことが可能である。
【０００９】
ＭＴＣトリガメッセージは、ＳＭＳメッセージであることが可能である。ＳＭＳメッセージは、情報要素を含むことが可能である。情報要素は、ＳＭＳメッセージが複数のＷＴＲＵに適用可能であるというインジケーションを含むことが可能である。情報要素は、転送プロトコル（ＴＰ）ヘッダまたは制御プロトコル（ＣＰ）ヘッダの中にあることが可能である。ＭＴＣトリガメッセージは、ＷＴＲＵ、または複数のＷＴＲＵのうちの少なくとも１つに関する動作インジケーションを含むことが可能である。動作インジケーションは、ＷＴＲＵがＡＳと接触を開始するようにする、ＰＣ５参照ポイント上で複数のＷＴＲＵのうちの少なくとも１つと接触を開始するようにする、または類似したことを行うようにする命令であることが可能である。
【００１０】
ＭＴＣトリガメッセージは、ＭＴＣトリガメッセージが複数のＷＴＲＵに適用可能であるというインジケーションを備えることが可能である。ＷＴＲＵは、ＭＴＣトリガメッセージに基づいて複数のＷＴＲＵに関するグループ識別を決定するように構成されたプロセッサを有することが可能である。ＷＴＲＵは、複数のＷＴＲＵに関する決定されたグループ識別を複数の個別のＷＴＲＵ識別に変換するように構成されたプロセッサを有することが可能である。このことは、例えば、複数のＷＴＲＵのうちのＷＴＲＵに関して、複数のＷＴＲＵのうちの各ＷＴＲＵに関して、または類似したように行われ得る。ＷＴＲＵは、複数のＷＴＲＵのうちの１つまたは複数のＷＴＲＵにＭＴＣトリガメッセージを送信するように構成されたプロセッサを有することが可能である。
【００１１】
ＷＴＲＵは、ＧＷＴＲＵからＭＴＣトリガメッセージを受信するように構成されたプロセッサを有することが可能である。ＭＴＣトリガメッセージは、動作インジケーションを含むことが可能である。ＷＴＲＵは、ＭＴＣトリガメッセージを解析して動作インジケーションを決定するように構成されたプロセッサを有することが可能である。ＷＴＲＵは、決定された動作インジケーションに基づいて、ＡＳにデータを求める要求を送信するように構成されたプロセッサを有することが可能である。ＷＴＲＵは、ＰｒｏＳｅサーバまたはＰｒｏＳｅ機能と接触するように構成されたプロセッサを有することが可能である。ＷＴＲＵは、ＧＷＴＲＵに確認インジケーションを送信するように構成されたプロセッサを有することが可能である。ＭＴＣトリガメッセージは、ＳＭＳメッセージであることが可能である。ＳＭＳメッセージは、情報要素を含むことが可能である。情報要素は、ＳＭＳメッセージが複数のＷＴＲＵに適用可能であるというインジケーションを含むことが可能である。
【００１２】
ＷＴＲＵが、サーバからトリガメッセージを受信するように構成されたプロセッサを有することが可能である。サーバは、アプリケーションサーバまたは近接サービス（ＰｒｏＳｅ）機能であることが可能である。トリガメッセージは、動作を開始するインジケーションを備えることが可能である。動作は、直接リンク上の伝送を備えることが可能である。動作は、直接リンク上の発見（discovery）の伝送を備えることが可能である。ＷＴＲＵは、サーバに応答メッセージを送信するように構成されたプロセッサを有することが可能である。応答メッセージは、トリガメッセージの受信を示すことが可能である。ＷＴＲＵは、トリガメッセージに基づいて、動作を開始するように構成されたプロセッサを有することが可能である。ＷＴＲＵは、例えば、少なくとも１つの事前構成されたＰｒｏＳｅパラメータに基づいて直接リンク上で発見の伝送を開始するように構成されたプロセッサを有することが可能である。
【００１３】
ＷＴＲＵは、近接サービス（ＰｒｏＳｅ）機能からトリガメッセージを受信するように構成されたプロセッサを有することが可能である。トリガメッセージは、ＰＣ５参照ポイント上で発見を開始するインジケーションを備えることが可能である。ＷＴＲＵは、ＰｒｏＳｅ機能に応答メッセージを送信するように構成されたプロセッサを有することが可能である。応答メッセージは、トリガメッセージの受信を示すことが可能である。ＷＴＲＵは、トリガメッセージに基づいて、ＰＣ５参照ポイント上で発見を開始するように構成されたプロセッサを有することが可能である。ＷＴＲＵは、少なくとも１つの事前構成されたＰｒｏＳｅパラメータに基づいてＰＣ５参照ポイント上で発見を開始するように構成されたプロセッサを有することが可能である。
【００１４】
ＭＴＣインターワーキング機能（ＩＷＦ）が、プロセッサと、メモリとを備えることが可能である。ＭＴＣ  ＩＷＦは、サービス機能サーバ（ＳＣＳ）またはアプリケーションサーバ（ＡＳ）からＴｓｐインターフェース上でＭＴＣトリガメッセージを受信するように構成されたプロセッサを備えることが可能である。ＭＴＣトリガメッセージは、ＭＴＣデバイスのグループに適用可能であり得る。ＭＴＣ  ＩＷＦは、ＭＴＣトリガメッセージからのグループ識別を複数のＷＴＲＵ識別に変換するように構成されたプロセッサを備えることが可能である。ＭＴＣ  ＩＷＦは、ＷＴＲＵ識別のそれぞれに対して個別のＳＭＳメッセージをトリガするように構成されたプロセッサを備えることが可能である。ＭＴＣ  ＩＷＦは、モビリティ管理エンティティであることが可能である。ＭＴＣ  ＩＷＦは、ＳＣＳ／ＡＳに１つまたは複数の肯定応答を送信して、複数のＵＥ  ＩＤのうちのいずれがＳＭＳメッセージを受信したかを示すように構成されたプロセッサを備えることが可能である。
【図面の簡単な説明】
【００１５】
【図１Ａ】１つまたは複数の開示される実施形態が実施され得る例示的な通信システムを示すシステム図である。
【図１Ｂ】図１Ａに示される通信システム内で使用され得る例示的なワイヤレス送信／受信ユニット（ＷＴＲＵ）を示すシステム図である。
【図１Ｃ】図１Ａに示される通信システム内で使用され得る例示的な無線アクセスネットワークおよび例示的なコアネットワークを示すシステム図である。
【図１Ｄ】図１Ａに示される通信システム内で使用され得る別の例示的な無線アクセスネットワークおよび例示的なコアネットワークを示すシステム図である。
【図１Ｅ】図１Ａに示される通信システム内で使用され得る別の例示的な無線アクセスネットワークおよび例示的なコアネットワークを示すシステム図である。
【図２】セルブロードキャストを用いたグループ通信に関する例示的なアーキテクチャを示す図である。
【図３】マルチメディアブロードキャストマルチキャストサービス（ＭＢＭＳ）を用いたグループ通信に関する例示的なアーキテクチャを示す図である。
【図４】ＭＢＭＳを用いたグループ通信に関する例示的なアーキテクチャを示す図である。
【図５】ＩＰマルチキャストを使用するグループ通信に関する例示的なアーキテクチャを示す図である。
【図６】例示的なＭＴＣアーキテクチャを示す図である。
【図７】トリガをＷＴＲＵにサブミットすることに関連付けられた例示的なメッセージングシグナリングを示す図である。
【図８】Ｔ４インターフェースを介してＷＴＲＵにトリガを送信することに関連付けられたメッセージングチャートの例を示す図である。
【図９】効率的なグループトリガのための例示的なアーキテクチャを示す図である。
【図１０】ＷＴＲＵが、ネットワーク構成要素にそれがＧＷＴＲＵとして動作するように構成されていることを通知する例示的なメッセージングチャートを示す図である。
【図１１】ＷＴＲＵが、ＲＡＮおよび／またはｅＮＢにＷＴＲＵがＧＷＴＲＵとして動作することができることを示す例示的なメッセージングチャートを示す図である。
【図１２】ＷＴＲＵが、ＳＣＳ／ＡＳ１２０６にそれがＧＷＴＲＵとして動作することができることを示す例示的なメッセージングチャートを示す図である。
【図１３】ＧＷＴＲＵのトリガ機能に関連付けられたメッセージングチャートの例を示す図である。
【図１４】非ＧＷＴＲＵのトリガ機能に関連付けられたメッセージングチャートの例を示す図である。
【図１５】ＳＭＳを使用するトリガ機能に関連付けられたメッセージングチャートの例を示す図である。
【図１６】ＳＭＳを使用するトリガ機能に関連付けられたメッセージングチャートの例を示す図である。
【図１７】ＳＭＳを使用するＧＷＴＲＵに関するトリガ機能に関連付けられたメッセージングチャートの例を示す図である。
【図１８】ＧＷＴＲＵのトリガ機能に関連付けられたメッセージングチャートの例を示す図である。
【発明を実施するための形態】
【００１６】
例示的な実施形態の詳細な説明が、様々な図を参照して次に説明される。この説明は、可能な実施様態の詳細な例を提供するものの、詳細は、例示的であり、適用の範囲を全く限定しないことが意図されることに留意されたい。図は、例示的であることを意味するメッセージングチャートを示すことが可能である。他の実施形態が使用され得る。通信の順序は、適宜、変更され得る。通信は、必要とされない場合、省かれることが可能であり、さらなる通信が追加されることが可能である。
【００１７】
図１Ａは、１つまたは複数の開示される実施形態が実施され得る例示的な通信システム１００の図である。通信システム１００は、音声、データ、ビデオ、メッセージング、ブロードキャストなどのコンテンツを複数のワイヤレスユーザに提供する多元接続システムであることが可能である。通信システム１００は、複数のワイヤレスユーザが、ワイヤレス帯域幅を含むシステムリソースの共有を通してそのようなコンテンツにアクセスすることを可能にすることが可能である。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および類似したものなどの１つまたは複数のチャネルアクセス方法を使用することが可能である。
【００１８】
図１Ａに示されるとおり、通信システム１００は、ワイヤレス送信／受信ユニット（ＷＴＲＵ）１０２ａ、１０２ｂ、１０２ｃ、および／または１０２ｄ（一般に、または集合的にＷＴＲＵ１０２と呼ばれ得る）、無線アクセスネットワーク（ＲＡＮ）１０３／１０４／１０５、コアネットワーク１０６／１０７／１０９、公衆交換電話ネットワーク（ＰＳＴＮ）１０８、インターネット１１０、ならびに他のネットワーク１１２を含むことが可能であり、ただし、開示される実施形態は、任意の数のＷＴＲＵ、基地局、ネットワーク、および／またはネットワーク要素を企図することが認識されよう。ＷＴＲＵ１０２ａ、１０２ｂ、１０２ｃ、１０２ｄのそれぞれは、ワイヤレス環境において動作するように、かつ／または通信するように構成された任意の型のデバイスであることが可能である。例として、ＷＴＲＵ１０２ａ、１０２ｂ、１０２ｃ、１０２ｄは、ワイヤレス信号を送信するように、かつ／または受信するように構成されることが可能であり、ユーザ機器（ＵＥ）、モバイル局、固定加入者ユニットもしくはモバイル加入者ユニット、ポケットベル、セルラ電話、携帯情報端末（ＰＤＡ）、スマートフォン、ラップトップ、ネットブック、パーソナルコンピュータ、ワイヤレスセンサ、家庭用電子機器、および類似したものを含むことが可能である。
【００１９】
通信システム１００は、基地局１１４ａおよび基地局１１４ｂを含むことも可能である。基地局１１４ａ、１１４ｂのそれぞれは、ＷＴＲＵ１０２ａ、１０２ｂ、１０２ｃ、１０２ｄのうちの少なくとも１つとワイヤレスでインターフェースをとって、コアネットワーク１０６／１０７／１０９、インターネット１１０、および／またはネットワーク１１２などの１つまたは複数の通信ネットワークに対するアクセスを円滑にするように構成された任意の型のデバイスであることが可能である。例として、基地局１１４ａ、１１４ｂは、基地局トランシーバ（ＢＴＳ）、ノードＢ、ｅノードＢ、ホームノードＢ、ホームｅノードＢ、サイトコントローラ、アクセスポイント（ＡＰ）、ワイヤレスルータ、および類似したものであることが可能である。基地局１１４ａ、１１４ｂはそれぞれ、単一の要素として示されるが、基地局１１４ａ、１１４ｂは、任意の数の互いに接続された基地局および／またはネットワーク要素を含み得ることが認識されよう。
【００２０】
基地局１１４ａは、ＲＡＮ１０３／１０４／１０５の一部であることが可能であり、これは、基地局コントローラ（ＢＳＣ）、無線ネットワークコントローラ（ＲＮＣ）、中継ノードその他などの他の基地局および／またはネットワーク要素（図示せず）を含むことも可能である。基地局１１４ａおよび／または基地局１１４ｂは、セル（図示せず）と呼ばれ得る特定の地理的領域内でワイヤレス信号を送信するように、かつ／または受信するように構成され得る。セルは、セルセクタにさらに分割され得る。例えば、基地局１１４ａに関連付けられたセルが、３つのセクタに分割され得る。このため、一実施形態において、基地局１１４ａは、３つのトランシーバ、すなわち、セルの各セクタに関して１つを含むことが可能である。別の実施形態において、基地局１１４ａが、マルチ入力マルチ出力（ＭＩＭＯ）技術を使用することが可能であり、したがって、セルの各セクタに関して複数のトランシーバを利用することが可能である。
【００２１】
基地局１１４ａ、１１４ｂは、任意の適切なワイヤレス通信リンク（例えば、無線周波数（ＲＦ）、マイクロ波、赤外線（ＩＲ）、紫外線（ＵＶ）、可視光その他）であり得る無線インターフェース１１５／１１６／１１７上でＷＴＲＵ１０２ａ、１０２ｂ、１０２ｃ、１０２ｄのうちの１つまたは複数と通信することが可能である。無線インターフェース１１５／１１６／１１７は、任意の適切な無線アクセス技術（ＲＡＴ）を使用して確立され得る。
【００２２】
より詳細には、前述されるとおり、通信システム１００は、多元接続システムであることが可能であり、ＣＤＭＡ、ＴＤＭＡ、ＦＤＭＡ、ＯＦＤＭＡ、ＳＣ−ＦＤＭＡ、および類似したものなどの１つまたは複数のチャネルアクセススキームを使用することが可能である。例えば、ＲＡＮ１０３／１０４／１０５における基地局１１４ａ、およびＷＴＲＵ１０２ａ、１０２ｂ、１０２ｃが、ユニバーサルモバイルテレコミュニケーションズシステム（ＵＭＴＳ）地上無線アクセス（ＵＴＲＡ）などの無線技術を実施することが可能であり、これが、広帯域ＣＤＭＡ（ＷＣＤＭＡ：登録商標）を使用して無線インターフェース１１５／１１６／１１７を確立することが可能である。ＷＣＤＭＡは、高速パケットアクセス（ＨＳＰＡ）および／または発展型ＨＳＰＡ（ＨＳＰＡ＋）などの通信プロトコルを含むことが可能である。ＨＳＰＡは、高速ダウンリンクパケットアクセス（ＨＳＤＰＡ）および／または高速アップリンクパケットアクセス（ＨＳＵＰＡ）を含むことが可能である。
【００２３】
別の実施形態において、基地局１１４ａおよびＷＴＲＵ１０２ａ、１０２ｂ、１０２ｃが、発展型ＵＭＴＳ地上無線アクセス（Ｅ−ＵＴＲＡ）などの無線技術を実施することが可能であり、これが、ロングタームエボリューション（ＬＴＥ）および／またはロングタームエボリューションアドバンスト（ＬＴＥ−Ａ）を使用して無線インターフェース１１５／１１６／１１７を確立することが可能である。
【００２４】
他の実施形態において、基地局１１４ａおよびＷＴＲＵ１０２ａ、１０２ｂ、１０２ｃが、ＩＥＥＥ８０２．１６（すなわち、ワールドワイドインターオペラビリティフォーマイクロウェーブアクセス（Worldwide  Interoperability  for  Microwave  Access）（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（Global  System  for  Mobile  Communications）（ＧＳＭ：登録商標）、エンハンストデータレートフォーＧＳＭエボリューション（Enhanced  Data  rates  for  ＧＳＭ  Evolution）（ＥＤＧＥ）、ＧＳＭ  ＥＤＧＥ（ＧＥＲＡＮ）、および類似したものなどの無線技術を実施することが可能である。
【００２５】
図１Ａにおける基地局１１４ｂは、例えば、ワイヤレスルータ、ホームノードＢ、ホームｅノードＢ、またはアクセスポイントであることが可能であり、ビジネスの場所、ホーム、車両、キャンパス、および類似したものなどの局所化された区域においてワイヤレス接続を円滑にするために任意の適切なＲＡＴを利用することが可能である。一実施形態において、基地局１１４ｂおよびＷＴＲＵ１０２ｃ、１０２ｄが、ＩＥＥＥ８０２．１１などの無線技術を実施して、ワイヤレスローカルエリアネットワーク（ＷＬＡＮ）を確立することが可能である。別の実施形態において、基地局１１４ｂおよびＷＴＲＵ１０２ｃ、１０２ｄが、ＩＥＥＥ８０２．１５などの無線技術を実施して、ワイヤレスパーソナルエリアネットワーク（ＷＰＡＮ）を確立することが可能である。さらに別の実施形態において、基地局１１４ｂおよびＷＴＲＵ１０２ｃ、１０２ｄが、セルラベースのＲＡＴ（例えば、ＷＣＤＭＡ、ＣＤＭＡ２０００、ＧＳＭ、ＬＴＥ、ＬＴＥ−Ａその他）を利用して、ピコセルまたはフェムトセルを確立することが可能である。図１Ａに示されるとおり、基地局１１４ｂは、インターネット１１０に対する直接の接続を有することが可能である。このため、基地局１１４ｂは、コアネットワーク１０６／１０７／１０９を介してインターネット１１０にアクセスすることを要求されないことが可能である。
【００２６】
ＲＡＮ１０３／１０４／１０５は、コアネットワーク１０６／１０７／１０９と通信状態にあることが可能であり、これは、ＷＴＲＵ１０２ａ、１０２ｂ、１０２ｃ、１０２ｄのうちの１つまたは複数に音声サービス、データサービス、アプリケーションサービス、および／またはボイスオーバインターネットプロトコル（ＶｏＩＰ）サービスを提供するように構成された任意のタイプのネットワークであることが可能である。例えば、コアネットワーク１０６／１０７／１０９は、呼制御、料金請求サービス、モバイルロケーションベースのサービス、プリペイド通話、インターネット接続、ビデオ配信その他を提供することが可能であり、かつ／またはユーザ認証などの高レベルセキュリティ機能を実行することが可能である。図１Ａに示されないものの、ＲＡＮ１０３／１０４／１０５、および／またはコアネットワーク１０６／１０７／１０９は、ＲＡＮ１０３／１０４／１０５と同一のＲＡＴ、または異なるＲＡＴを使用する他のＲＡＮと直接または間接の通信状態にあることが可能であることが認識されよう。例えば、Ｅ−ＵＴＲＡ無線技術を利用していることが可能なＲＡＮ１０３／１０４／１０５に接続されていることに加えて、コアネットワーク１０６／１０７／１０９は、ＧＳＭ無線技術を使用する別のＲＡＮ（図示されず）と通信状態にあることも可能である。
【００２７】
コアネットワーク１０６／１０７／１０９は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、普通の従来の電話サービス（ＰＯＴＳ）を提供する回線交換電話ネットワークを含むことが可能である。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）などの共通の通信プロトコルを使用する互いに接続されたコンピュータネットワークおよびコンピュータデバイスの地球規模のシステムを含むことが可能である。ネットワーク１１２は、他のサービスプロバイダによって所有され、かつ／または運用される有線通信ネットワークまたはワイヤレス通信ネットワークを含むことが可能である。例えば、ネットワーク１１２は、ＲＡＮ１０３／１０４／１０５と同一のＲＡＴ、または異なるＲＡＴを使用することが可能な１つまたは複数のＲＡＮに接続された別のコアネットワークを含むことが可能である。
【００２８】
通信システム１００におけるＷＴＲＵ１０２ａ、１０２ｂ、１０２ｃ、１０２ｄのいくつか、またはすべては、マルチモード能力を含むことが可能であり、すなわち、ＷＴＲＵ１０２ａ、１０２ｂ、１０２ｃ、１０２ｄは、異なるワイヤレスリンク上で異なるワイヤレスネットワークと通信するための複数のトランシーバを含むことが可能である。例えば、図１Ａに示されるＷＴＲＵ１０２ｃは、セルラベースの無線技術を使用することが可能な基地局１１４ａ、およびＩＥＥＥ８０２無線技術を使用することが可能な基地局１１４ｂと通信するように構成されることが可能である。
【００２９】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺装置１３８とを含むことが可能である。ＷＴＲＵ１０２は、実施形態と合致したままでありながら、前述の要素の任意の部分的組合せを含むことが可能であることが認識されよう。また、実施形態は、基地局１１４ａおよび１１４ｂ、ならびに／または、とりわけ、トランシーバ局（ＢＴＳ）、ノードＢ、サイトコントローラ、アクセスポイント（ＡＰ）、ホームノードＢ、発展型ホームノードＢ（ｅノードＢ）、ホーム発展型ノードＢ（ＨｅＮＢ）、ホーム発展型ノードＢゲートウェイ、およびプロキシノードなどの、ただし、以上には限定されない基地局１１４ａおよび１１４ｂが表すことが可能なノードが、図１Ｂに示され、本明細書において説明される要素のいくつか、またはすべてを含むことが可能であることを企図する。
【００３０】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意の型の集積回路（ＩＣ）、状態マシン、および類似したものであることが可能である。プロセッサ１１８は、ＷＴＲＵ１０２がワイヤレス環境において動作することを可能にする信号符号化、データ処理、電力制御、入出力処理、および／または他の任意の機能を実行することが可能である。プロセッサ１１８は、送信／受信要素１２２に結合され得るトランシーバ１２０に結合され得る。図１Ｂは、プロセッサ１１８とトランシーバ１２０を別々の構成要素として示すが、プロセッサ１１８とトランシーバ１２０は、電子パッケージまたはチップに一緒に組み込まれ得ることが認識されよう。
【００３１】
送信／受信要素１２２は、無線インターフェース１１５／１１６／１１７上で基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、かつ／または受信するように構成されたアンテナであることが可能である。別の実施形態において、送信／受信要素１２２は、例えば、ＩＲ信号、ＵＶ信号、または可視光信号を送信するように、かつ／または受信するように構成されたエミッタ／検出器であることが可能である。さらに別の実施形態において、送信／受信要素１２２は、ＲＦ信号と光信号をともに送信するように、かつ受信するように構成され得る。送信／受信要素１２２は、ワイヤレス信号の任意の組合せを送信するように、かつ／または受信するように構成され得ることが認識されよう。
【００３２】
さらに、送信／受信要素１２２は、図１Ｂに単一の要素として示されるものの、ＷＴＲＵ１０２は、任意の数の送信／受信要素１２２を含むことが可能である。より詳細には、ＷＴＲＵ１０２は、ＭＩＭＯ技術を使用することが可能である。このため、一実施形態において、ＷＴＲＵ１０２は、無線インターフェース１１５／１１６／１１７上でワイヤレス信号を送信するため、および受信するための２つ以上の送信／受信要素１２２（例えば、複数のアンテナ）を含むことが可能である。
【００３３】
トランシーバ１２０は、送信／受信要素１２２によって送信されることになる信号を変調するように、かつ送信／受信要素１２２によって受信される信号を復調するように構成され得る。前述したとおり、ＷＴＲＵ１０２は、マルチモード能力を有することが可能である。このため、トランシーバ１２０は、ＷＴＲＵ１０２が、例えば、ＵＴＲＡおよびＩＥＥＥ８０２．１１などの複数のＲＡＴを介して通信することを可能にするための複数のトランシーバを含むことが可能である。
【００３４】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されることが可能であり、スピーカ／マイクロフォン１２４、キーパッド１２６、および／またはディスプレイ／タッチパッド１２８からユーザ入力データを受信することが可能である。プロセッサ１１８は、スピーカ／マイクロフォン１２４、キーパッド１２６、および／またはディスプレイ／タッチパッド１２８にユーザデータを出力することも可能である。さらに、プロセッサ１１８は、非リムーバブルメモリ１３０および／またはリムーバブルメモリ１３２などの任意の型の適切なメモリからの情報にアクセスすること、およびそのようなメモリにデータを記憶することが可能である。非リムーバブルメモリ１３０は、ランダムアクセスメモリ（ＲＡＭ）、読取り専用メモリ（ＲＯＭ）、ハードディスク、または他の任意の型のメモリストレージデバイスを含むことが可能である。リムーバブルメモリ１３２は、加入者ＩＤモジュール（ＳＩＭ）カード、メモリスティック、セキュアデジタル（ＳＤ）メモリカード、および類似したものを含むことが可能である。他の実施形態において、プロセッサ１１８は、サーバまたはホームコンピュータ（図示せず）の上などの、ＷＴＲＵ１０２上に物理的に位置付けられていないメモリからの情報にアクセスすること、およびそのようなメモリにデータを記憶することが可能である。
【００３５】
プロセッサ１１８は、電源１３４から電力を受け取ることが可能であり、ＷＴＲＵ１０２におけるその他の構成要素に対して電力を配るように、かつ／または制御するように構成されることが可能である。電源１３４は、ＷＴＲＵ１０２に電力供給するための任意の適切なデバイスであることが可能である。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）その他）、太陽電池、燃料電池、および類似したものを含むことが可能である。
【００３６】
プロセッサ１１８は、ＷＴＲＵ１０２の現在のロケーションに関するロケーション情報（例えば、経度および緯度）を提供するように構成され得るＧＰＳチップセット１３６に結合されることも可能である。ＧＰＳチップセット１３６からの情報に加えて、またはその代わりに、ＷＴＲＵ１０２は、基地局（例えば、基地局１１４ａ、１１４ｂ）から無線インターフェース１１５／１１６／１１７上でロケーション情報を受信すること、および／または２つ以上の近くの基地局から受信されている信号のタイミングに基づいてそのロケーションを決定することが可能である。ＷＴＲＵ１０２は、実施形態と合致したままでありながら、任意の適切なロケーション決定方法を用いてロケーション情報を獲得することが可能であることが認識されよう。
【００３７】
プロセッサ１１８は、さらなる特徴、機能、および／または有線接続もしくはワイヤレス接続を提供する１つまたは複数のソフトウェアモジュールおよび／またはハードウェアモジュールを含むことが可能な他の周辺装置１３８にさらに結合され得る。例えば、周辺装置１３８は、加速度計、電子コンパス、衛星トランシーバ、デジタルカメラ（写真またはビデオのための）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、および類似したものを含むことが可能である。
【００３８】
図１Ｃは、実施形態によるＲＡＮ１０３およびコアネットワーク１０６のシステム図である。前述されるとおり、ＲＡＮ１０３は、ＵＴＲＡ無線技術を使用して、無線インターフェース１１５上でＷＴＲＵ１０２ａ、１０２ｂ、１０２ｃと通信することが可能である。ＲＡＮ１０３は、コアネットワーク１０６と通信状態にあることも可能である。図１Ｃに示されるとおり、ＲＡＮ１０３は、無線インターフェース１１５上でＷＴＲＵ１０２ａ、１０２ｂ、１０２ｃと通信するための１つまたは複数のトランシーバをそれぞれが含むことが可能なノードＢ１４０ａ、１４０ｂ、１４０ｃを含むことが可能である。ノードＢ１４０ａ、１４０ｂ、１４０ｃはそれぞれ、ＲＡＮ１０３内の特定のセル（図示せず）に関連付けられ得る。ＲＡＮ１０３は、ＲＮＣ１４２ａ、１４２ｂを含むことも可能である。ＲＡＮ１０３は、実施形態と合致したままでありながら、任意の数のノードＢおよびＲＮＣを含むことが可能であることが認識されよう。
【００３９】
図１Ｃに示されるとおり、ノードＢ１４０ａ、１４０ｂが、ＲＮＣ１４２ａと通信状態にあることが可能である。さらに、ノードＢ１４０ｃが、ＲＮＣ１４２ｂと通信状態にあることが可能である。ノードＢ１４０ａ、１４０ｂ、１４０ｃは、Ｉｕｂインターフェースを介してそれぞれのＲＮＣ１４２ａ、１４２ｂと通信することが可能である。ＲＮＣ１４２ａ、１４２ｂは、Ｉｕｒインターフェースを介して互いに通信状態にあることが可能である。ＲＮＣ１４２ａ、１４２ｂのそれぞれは、それが接続されたそれぞれのノードＢ１４０ａ、１４０ｂ、１４０ｃを制御するように構成され得る。さらに、ＲＮＣ１４２ａ、１４２ｂのそれぞれが、アウタループ電力制御、負荷制御、受付け制御、パケットスケジューリング、ハンドオーバ制御、マクロダイバーシティ、セキュリティ機能、データ暗号化、および類似したものなどの他の機能を実行するように、またはサポートするように構成され得る。
【００４０】
図１Ｃに示されるコアネットワーク１０６は、メディアゲートウェイ（ＭＧＷ）１４４、モバイルスイッチングセンタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことが可能である。前述の要素のそれぞれは、コアネットワーク１０６の一部として示されるが、これらの要素のうちのいずれの１つも、コアネットワークオペレータ以外のエンティティによって所有され、かつ／または運用され得ることが認識されよう。
【００４１】
ＲＡＮ１０３におけるＲＮＣ１４２ａは、ＩｕＣＳインターフェースを介してコアネットワーク１０６におけるＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８などの回線交換ネットワークに対するアクセスを提供して、ＷＴＲＵ１０２ａ、１０２ｂ、１０２ｃと従来の固定通信デバイスの間の通信を円滑にすることが可能である。
【００４２】
ＲＡＮ１０３におけるＲＮＣ１４２ａは、ＩｕＰＳインターフェースを介してコアネットワーク１０６におけるＳＧＳＮ１４８に接続されることも可能である。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０などのパケット交換ネットワークに対するアクセスを提供して、ＷＴＲＵ１０２ａ、１０２ｂ、１０２ｃとＩＰ対応のデバイスの間の通信を円滑にすることが可能である。
【００４３】
前述されるとおり、コアネットワーク１０６は、ネットワーク１１２に接続されることも可能であり、これは、他のサービスプロバイダによって所有され、かつ／または運用される他の有線ネットワークまたはワイヤレスネットワークを含むことが可能である。
【００４４】
図１Ｄは、実施形態によるＲＡＮ１０４およびコアネットワーク１０７のシステム図である。前述されるとおり、ＲＡＮ１０４は、Ｅ−ＵＴＲＡ無線技術を使用して、無線インターフェース１１６上でＷＴＲＵ１０２ａ、１０２ｂ、１０２ｃと通信することが可能である。ＲＡＮ１０４は、コアネットワーク１０７と通信状態にあることも可能である。
【００４５】
ＲＡＮ１０４は、ｅノードＢ１６０ａ、１６０ｂ、１６０ｃを含むことが可能であり、ただし、ＲＡＮ１０４は、実施形態と合致したままでありながら、任意の数のｅノードＢを含むことが可能であることが認識されよう。ｅノードＢ１６０ａ、１６０ｂ、１６０ｃはそれぞれ、無線インターフェース１１６上でＷＴＲＵ１０２ａ、１０２ｂ、１０２ｃと通信するための１つまたは複数のトランシーバを含むことが可能である。一実施形態において、ｅノードＢ１６０ａ、１６０ｂ、１６０ｃは、ＭＩＭＯ技術を実施することが可能である。このため、例えば、ｅノードＢ１６０ａが、複数のアンテナを使用して、ＷＴＲＵ１０２ａにワイヤレス信号を送信すること、およびＷＴＲＵ１０２ａからワイヤレス信号を受信することが可能である。
【００４６】
ｅノードＢ１６０ａ、１６０ｂ、１６０ｃのそれぞれは、特定のセル（図示せず）に関連付けられることが可能であり、無線リソース管理決定、ハンドオーバ決定、アップリンクおよび／またはダウンリンクにおけるユーザのスケジューリング、および類似したものを扱うように構成されることが可能である。図１Ｄに示されるとおり、ｅノードＢ１６０ａ、１６０ｂ、１６０ｃは、Ｘ２インターフェース上で互いに通信することが可能である。
【００４７】
図１Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６とを含むことが可能である。前述の要素のそれぞれは、コアネットワーク１０７の一部として示されるが、これらの要素のうちのいずれの１つも、コアネットワークオペレータ以外のエンティティによって所有され、かつ／または運用され得ることが認識されよう。
【００４８】
ＭＭＥ１６２は、Ｓ１インターフェースを介してＲＡＮ１０４におけるｅノードＢ１６０ａ、１６０ｂ、１６０ｃのそれぞれに接続されることが可能であり、制御ノードの役割をすることが可能である。例えば、ＭＭＥ１６２は、ＷＴＲＵ１０２ａ、１０２ｂ、１０２ｃのユーザを認証すること、ベアラ活性化／不活性化、ＷＴＲＵ１０２ａ、１０２ｂ、１０２ｃの初期アタッチ中に特定のサービングゲートウェイを選択すること、および類似したことを担うことが可能である。ＭＭＥ１６２は、ＲＡＮ１０４と、ＧＳＭまたはＷＣＤＭＡなどの他の無線技術を使用する他のＲＡＮ（図示せず）の間で切り換えるための制御プレーン機能を提供することも可能である。
【００４９】
サービングゲートウェイ１６４は、Ｓ１インターフェースを介してＲＡＮ１０４におけるｅノードＢ１６０ａ、１６０ｂ、１６０ｃのそれぞれに接続され得る。サービングゲートウェイ１６４は、一般に、ＷＴＲＵ１０２ａ、１０２ｂ、１０２ｃに／からユーザデータパケットをルーティングすること、および転送することが可能である。サービングゲートウェイ１６４は、ｅノードＢ間ハンドオーバ中にユーザプレーンをアンカすること、ＷＴＲＵ１０２ａ、１０２ｂ、１０２ｃのためにダウンリンクデータが利用可能である場合にページングをトリガすること、ＷＴＲＵ１０２ａ、１０２ｂ、１０２ｃのコンテキストを管理すること、および記憶すること、ならびに類似したことなどの他の機能を実行することも可能である。
【００５０】
サービングゲートウェイ１６４は、ＰＤＮゲートウェイ１６６に接続されることも可能であり、これは、ＷＴＲＵ１０２ａ、１０２ｂ、１０２ｃに、インターネット１１０などのパケット交換ネットワークに対するアクセスを提供して、ＷＴＲＵ１０２ａ、１０２ｂ、１０２ｃとＩＰ対応のデバイスの間の通信を円滑にすることが可能である。
【００５１】
コアネットワーク１０７は、他のネットワークとの通信を円滑にすることが可能である。例えば、コアネットワーク１０７は、ＷＴＲＵ１０２ａ、１０２ｂ、１０２ｃに、ＰＳＴＮ１０８などの回線交換ネットワークに対するアクセスを提供して、ＷＴＲＵ１０２ａ、１０２ｂ、１０２ｃと従来の固定通信デバイスの間の通信を円滑にすることが可能である。例えば、コアネットワーク１０７は、コアネットワーク１０７とＰＳＴＮ１０８の間のインターフェースの役割をするＩＰゲートウェイ（例えば、ＩＰマルチメディアサブシステム（ＩＭＳ）サーバ）を含むこと、またはそのようなＩＰゲートウェイと通信することが可能である。さらに、コアネットワーク１０７は、ＷＴＲＵ１０２ａ、１０２ｂ、１０２ｃに、ネットワーク１１２に対するアクセスを提供することが可能であり、これは、他のサービスプロバイダによって所有され、かつ／または運用される他の有線ネットワークまたはワイヤレスネットワークを含むことが可能である。
【００５２】
図１Ｅは、実施形態によるＲＡＮ１０５およびコアネットワーク１０９のシステム図である。ＲＡＮ１０５は、ＩＥＥＥ８０２．１６無線技術を使用して、無線インターフェース１１７上でＷＴＲＵ１０２ａ、１０２ｂ、１０２ｃと通信するアクセスサービスネットワーク（ＡＳＮ）であることが可能である。後段でさらに説明されるとおり、ＷＴＲＵ１０２ａ、１０２ｂ、１０２ｃ、ＲＡＮ１０５、およびコアネットワーク１０９の異なる機能エンティティ間の通信リンクは、参照ポイントとして定義され得る。
【００５３】
図１Ｅに示されるとおり、ＲＡＮ１０５は、基地局１８０ａ、１８０ｂ、１８０ｃおよびＡＳＮゲートウェイ１８２を含むことが可能であり、ただし、ＲＡＮ１０５は、実施形態と合致したままでありながら、任意の数の基地局およびＡＳＮゲートウェイを含むことが可能であることが認識されよう。基地局１８０ａ、１８０ｂ、１８０ｃはそれぞれ、ＲＡＮ１０５における特定のセル（図示せず）に関連付けられることが可能であり、それぞれ、無線インターフェース１１７上でＷＴＲＵ１０２ａ、１０２ｂ、１０２ｃと通信するための１つまたは複数のトランシーバを含むことが可能である。一実施形態において、基地局１８０ａ、１８０ｂ、１８０ｃは、ＭＩＭＯ技術を実施することが可能である。このため、例えば、基地局１８０ａが、複数のアンテナを使用して、ＷＴＲＵ１０２ａにワイヤレス信号を送信すること、およびＷＴＲＵ１０２ａからワイヤレス信号を受信することが可能である。基地局１８０ａ、１８０ｂ、１８０ｃは、ハンドオフトリガ、トンネル確立、無線リソース管理、トラフィック分類、サービス品質（ＱｏＳ）ポリシー執行、および類似したことなどのモビリティ管理機能を提供することも可能である。ＡＳＮゲートウェイ１８２は、トラフィック集約ポイントの役割をすることが可能であり、ページング、加入者プロファイルのキャッシング、コアネットワーク１０９に対するルーティング、および類似したことを担うことが可能である。
【００５４】
ＷＴＲＵ１０２ａ、１０２ｂ、１０２ｃとＲＡＮ１０５の間の無線インターフェース１１７は、ＩＥＥＥ８０２．１６規格を実施するＲ１参照ポイントとして定義され得る。さらに、ＷＴＲＵ１０２ａ、１０２ｂ、１０２ｃのそれぞれが、コアネットワーク１０９を相手に論理インターフェース（図示せず）を確立することが可能である。ＷＴＲＵ１０２ａ、１０２ｂ、１０２ｃとコアネットワーク１０９の間の論理インターフェースは、Ｒ２参照ポイントとして定義されることが可能であり、これは、認証、許可、ＩＰホスト構成管理、および／またはモビリティ管理のために使用されることが可能である。
【００５５】
基地局１８０ａ、１８０ｂ、１８０ｃのそれぞれの間の通信リンクは、ＷＴＲＵハンドオーバ、および基地局間のデータの転送を円滑にするためのプロトコルを含むＲ８参照ポイントとして定義され得る。基地局１８０ａ、１８０ｂ、１８０ｃとＡＳＮゲートウェイ１８２の間の通信リンクは、Ｒ６参照ポイントとして定義され得る。Ｒ６参照ポイントは、ＷＴＲＵ１０２ａ、１０２ｂ、１０２ｃのそれぞれに関連付けられたモビリティイベントに基づいてモビリティ管理を円滑にするためのプロトコルを含むことが可能である。
【００５６】
図１Ｅに示されるとおり、ＲＡＮ１０５は、コアネットワーク１０９に接続され得る。ＲＡＮ１０５とコアネットワーク１０９の間の通信リンクは、例えば、データ転送能力およびモビリティ管理能力を円滑にするためのプロトコルを含むＲ３参照ポイントとして定義され得る。コアネットワーク１０９は、モバイルＩＰホームエージェント（ＭＩＰ−ＨＡ）１８４と、認証−許可−アカウンティング（ＡＡＡ）サーバ１８６と、ゲートウェイ１８８とを含むことが可能である。前述の要素のそれぞれは、コアネットワーク１０９の一部として示されるが、これらの要素のうちのいずれの１つも、コアネットワークオペレータ以外のエンティティによって所有され、かつ／または運用され得ることが認識されよう。
【００５７】
ＭＩＰ−ＨＡは、ＩＰアドレス管理を担うことが可能であり、ＷＴＲＵ１０２ａ、１０２ｂ、１０２ｃが異なるＡＳＮおよび／または異なるコアネットワークの間でローミングすることを可能にすることが可能である。ＭＩＰ−ＨＡ１８４は、ＷＴＲＵ１０２ａ、１０２ｂ、１０２ｃに、インターネット１１０などのパケット交換ネットワークに対するアクセスを提供して、ＷＴＲＵ１０２ａ、１０２ｂ、１０２ｃとＩＰ対応のデバイスの間の通信を円滑にすることが可能である。ＡＡＡサーバ１８６は、ユーザ認証を担い、かつユーザサービスをサポートすることを担うことが可能である。ゲートウェイ１８８は、他のネットワークとのインターワーキングを円滑にすることが可能である。例えば、ゲートウェイ１８８は、ＷＴＲＵ１０２ａ、１０２ｂ、１０２ｃに、ＰＳＴＮ１０８などの回線交換ネットワークに対するアクセスを提供して、ＷＴＲＵ１０２ａ、１０２ｂ、１０２ｃと従来の固定通信デバイスの間の通信を円滑にすることが可能である。さらに、ゲートウェイ１８８は、ＷＴＲＵ１０２ａ、１０２ｂ、１０２ｃに、ネットワーク１１２に対するアクセスを提供することが可能であり、これは、他のサービスプロバイダによって所有され、かつ／または運用される他の有線ネットワークまたはワイヤレスネットワークを含むことが可能である。
【００５８】
図１Ｅに示されないものの、ＲＡＮ１０５は、他のＡＳＮに接続されることが可能であり、コアネットワーク１０９は、他のコアネットワークに接続されることが可能であることが認識されよう。ＲＡＮ１０５と他のＡＳＮの間の通信リンクは、Ｒ４参照ポイントとして定義されることが可能であり、これは、ＲＡＮ１０５と他のＡＳＮの間のＷＴＲＵ１０２ａ、１０２ｂ、１０２ｃのモビリティを調整するためのプロトコルを含むことが可能である。コアネットワーク１０９と他のコアネットワークの間の通信リンクは、Ｒ５参照ポイントとして定義されることが可能であり、これは、ホームコアネットワークと移動先コアネットワークの間のインターワーキングを円滑にするためのプロトコルを含むことが可能である。
【００５９】
例えば、３ＧＰＰコンテキストにおいてマシンタイプ通信（ＭＴＣ）グループ通信に関連付けられたデバイス、方法、およびシステムが、説明され得る。ＬＴＥシステム（例えば、ＭＭＥ、ｅＮＢ）などの３ＧＰＰシステムが、本明細書における例を説明するのに使用され得るが、例は、ＵＭＴＳ、ＧＥＲＡＮその他などの他のシステムおよびコンテキストに適用する。
【００６０】
ワイヤレス送信／受信ユニット（ＷＴＲＵ）が、メモリと、プロセッサとを有することが可能である。例えば、ＷＴＲＵは、サービス機能サーバ（ＳＣＳ）またはアプリケーションサーバ（ＡＳ）からマシンタイプ通信（ＭＴＣ）トリガメッセージを受信するように構成されたプロセッサを有することが可能である。ＭＴＣトリガメッセージは、ＭＴＣトリガメッセージが第２のＷＴＲＵに適用可能であるというインジケーションを備えることが可能である。ＷＴＲＵは、ＭＴＣトリガメッセージに基づいて第２のＷＴＲＵに関するグループ識別を決定するように構成されたプロセッサを有することが可能である。ＷＴＲＵは、第２のＷＴＲＵに関する決定されたグループ識別を第２のＷＴＲＵに関する個別のＷＴＲＵ識別に変換するように構成されたプロセッサを有することが可能である。ＷＴＲＵは、第２のＷＴＲＵにＭＴＣトリガメッセージを送信するように構成されたプロセッサを有することが可能である。ＷＴＲＵは、第２のＷＴＲＵから確認インジケーションを受信するように構成されたプロセッサを有することが可能である。
【００６１】
ＷＴＲＵは、モバイル管理エンティティ（ＭＭＥ）に第１の非アクセススペクトル（ＮＡＳ）メッセージを送信するように構成されたプロセッサを有することが可能である。第１のＮＡＳメッセージは、ＷＴＲＵがゲートウェイＷＴＲＵ（ＧＷＴＲＵ）として動作することができることを示すことが可能である。第１のＮＡＳメッセージは、アタッチ要求メッセージまたは追跡エリア更新要求メッセージであることが可能である。ＷＴＲＵは、発展型ノードＢ（ｅＮＢ）から無線リソース制御（ＲＲＣ）メッセージを受信するように構成されたプロセッサを有することが可能である。ＲＲＣメッセージは、ＧＷＴＲＵ構成を含むことが可能である。ＧＷＴＲＵ構成は、ＧＷＴＲＵとして動作するようにＷＴＲＵを構成するのに使用され得る。ＷＴＲＵは、ＭＭＥから第２のＮＡＳメッセージを受信するように構成されたプロセッサを有することが可能である。第２のＮＡＳメッセージは、ＷＴＲＵがＧＷＴＲＵとして動作することが可能であることを示すことが可能である。第２のＮＡＳメッセージは、アタッチ承認メッセージまたは追跡エリア更新承認メッセージであることが可能である。ＷＴＲＵは、ＭＭＥに、ＷＴＲＵがＧＷＴＲＵとして動作するのを停止することが可能であることを示すメッセージを送信するように構成されたプロセッサを有することが可能である。
【００６２】
ＷＴＲＵは、発展型ノードＢ（ｅＮＢ）に第１の無線リソース制御（ＲＲＣ）メッセージを送信するように構成されたプロセッサを有することが可能である。第１のＲＲＣメッセージは、ＷＴＲＵがゲートウェイＷＴＲＵ（ＧＷＴＲＵ）として動作することができ得ることを示すことが可能である。ＷＴＲＵは、発展型ノードＢ（ｅＮＢ）から第２の無線リソース制御（ＲＲＣ）メッセージを受信するように構成されたプロセッサを有することが可能である。第２のＲＲＣメッセージは、ＷＴＲＵがＧＷＴＲＵとして動作することを許すことが可能なＷＴＲＵに関する構成を含むことが可能である。ＷＴＲＵは、ｅＮＢに、ＷＴＲＵがＧＷＴＲＵとして動作するのを停止することが可能であることを示すメッセージを送信するように構成されたプロセッサを有することが可能である。
【００６３】
ＷＴＲＵは、ＳＣＳまたはＡＳに、ＷＴＲＵがゲートウェイＷＴＲＵ（ＧＷＴＲＵ）として動作することができるというインジケーションを送信するように構成されたプロセッサを有することが可能である。ＷＴＲＵは、近接ベースのサービス（ＰｒｏＳｅ）サーバから、ＧＷＴＲＵとして動作するインジケーションを受信するように構成されたプロセッサを有することが可能である。ＷＴＲＵは、ＳＣＳまたはＡＳからアプリケーション層メッセージを受信するように構成されたプロセッサを有することが可能である。アプリケーション層メッセージは、ＷＴＲＵがＧＷＴＲＵとして動作することを許すことが可能なＷＴＲＵに関する構成を含むことが可能である。
【００６４】
ＭＴＣトリガメッセージは、ＳＭＳメッセージであることが可能である。ＳＭＳメッセージは、情報要素を含むことが可能である。情報要素は、ＳＭＳメッセージが複数のＷＴＲＵに適用可能であるというインジケーションを含むことが可能である。情報要素は、転送プロトコル（ＴＰ）ヘッダまたは制御プロトコル（ＣＰ）ヘッダの中にあることが可能である。ＭＴＣトリガメッセージは、ＷＴＲＵ、または複数のＷＴＲＵのうちの少なくとも１つに関する動作インジケーションを含むことが可能である。動作インジケーションは、ＷＴＲＵがＡＳと接触を開始するようにする、ＰＣ５参照ポイント上で複数のＷＴＲＵのうちの少なくとも１つと接触を開始するようにする、または類似したことを行うようにする命令であることが可能である。
【００６５】
ＭＴＣトリガメッセージは、ＭＴＣトリガメッセージが複数のＷＴＲＵに適用可能であるというインジケーションを備えることが可能である。ＷＴＲＵは、ＭＴＣトリガメッセージに基づいて複数のＷＴＲＵに関するグループ識別を決定するように構成されたプロセッサを有することが可能である。ＷＴＲＵは、複数のＷＴＲＵに関する決定されたグループ識別を複数の個別のＷＴＲＵ識別に変換するように構成されたプロセッサを有することが可能である。このことは、例えば、複数のＷＴＲＵのうちのＷＴＲＵに関して、複数のＷＴＲＵのうちの各ＷＴＲＵに関して、または類似したように行われ得る。ＷＴＲＵは、複数のＷＴＲＵのうちの１つまたは複数のＷＴＲＵにＭＴＣトリガメッセージを送信するように構成されたプロセッサを有することが可能である。
【００６６】
ＷＴＲＵは、ＧＷＴＲＵからＭＴＣトリガメッセージを受信するように構成されたプロセッサを有することが可能である。ＭＴＣトリガメッセージは、動作インジケーションを含むことが可能である。ＷＴＲＵは、ＭＴＣトリガメッセージを解析して動作インジケーションを決定するように構成されたプロセッサを有することが可能である。ＷＴＲＵは、決定された動作インジケーションに基づいて、ＡＳにデータを求める要求を送信するように構成されたプロセッサを有することが可能である。ＷＴＲＵは、ＧＷＴＲＵに確認インジケーションを送信するように構成されたプロセッサを有することが可能である。ＭＴＣトリガメッセージは、ＳＭＳメッセージであることが可能である。ＳＭＳメッセージは、情報要素を含むことが可能である。情報要素は、ＳＭＳメッセージが複数のＷＴＲＵに適用可能であるというインジケーションを含むことが可能である。
【００６７】
ＷＴＲＵが、サーバからトリガメッセージを受信するように構成されたプロセッサを有することが可能である。サーバは、アプリケーションサーバまたは近接サービス（ＰｒｏＳｅ）機能であることが可能である。トリガメッセージは、動作を開始するインジケーションを備えることが可能である。動作は、直接リンク上の伝送を備えることが可能である。動作は、直接リンク上の発見の伝送を備えることが可能である。ＷＴＲＵは、サーバに応答メッセージを送信するように構成されたプロセッサを有することが可能である。応答メッセージは、トリガメッセージの受信を示すことが可能である。ＷＴＲＵは、トリガメッセージに基づいて、動作を開始するように構成されたプロセッサを有することが可能である。ＷＴＲＵは、例えば、少なくとも１つの事前構成されたＰｒｏＳｅパラメータに基づいて直接リンクを介して発見の伝送を開始するように構成されたプロセッサを有することが可能である。
【００６８】
ＷＴＲＵは、近接サービス（ＰｒｏＳｅ）機能からトリガメッセージを受信するように構成されたプロセッサを有することが可能である。トリガメッセージは、ＰＣ５参照ポイント上で発見を開始するインジケーションを備えることが可能である。ＷＴＲＵは、ＰｒｏＳｅ機能に応答メッセージを送信するように構成されたプロセッサを有することが可能である。応答メッセージは、トリガメッセージの受信を示すことが可能である。ＷＴＲＵは、トリガメッセージに基づいて、ＰＣ５参照ポイント上で発見を開始するように構成されたプロセッサを有することが可能である。ＷＴＲＵは、少なくとも１つの事前構成されたＰｒｏＳｅパラメータに基づいてＰＣ５参照ポイント上で発見を開始するように構成されたプロセッサを有することが可能である。
【００６９】
ＭＴＣインターワーキング機能（ＩＷＦ）が、プロセッサと、メモリとを備えることが可能である。ＭＴＣ  ＩＷＦは、サービス機能サーバ（ＳＣＳ）またはアプリケーションサーバ（ＡＳ）からＴｓｐインターフェース上でＭＴＣトリガメッセージを受信するように構成されたプロセッサを備えることが可能である。ＭＴＣトリガメッセージは、ＭＴＣデバイスのグループに適用可能であり得る。ＭＴＣ  ＩＷＦは、ＭＴＣトリガメッセージからのグループ識別を複数のＷＴＲＵ識別に変換するように構成されたプロセッサを備えることが可能である。ＭＴＣ  ＩＷＦは、ＷＴＲＵ識別のそれぞれに対して個別のＳＭＳメッセージをトリガするように構成されたプロセッサを備えることが可能である。ＭＴＣ  ＩＷＦは、モビリティ管理エンティティであることが可能である。ＭＴＣ  ＩＷＦは、ＳＣＳ／ＡＳに１つまたは複数の肯定応答を送信して、複数のＵＥ  ＩＤのうちのいずれがＳＭＳメッセージを受信したかを示すように構成されたプロセッサを備えることが可能である。
【００７０】
ＭＴＣアプリケーションは、デバイスのグループを含むことが可能である。グループベースのメッセージングが、サービス機能サーバ（ＳＣＳ）から要求されると、地理的区域に位置付けられていることが可能なＭＴＣグループのメンバにメッセージ（例えば、トリガ要求）を配信するのに使用され得る。このことは、例えば、ＭＴＣグループのメンバにメッセージに対する効率的な配信を提供するように行われ得る。
【００７１】
図２は、セルブロードキャスト２００を用いたグループ通信に関する例示的なアーキテクチャを示す。グループ通信は、セルブロードキャストを使用することが可能である。例えば、グループ通信は、グループトリガおよび／またはグループ通信を可能にすることが可能なセルブロードキャストを使用することが可能である。セルブロードキャストは、例えば、デバイスが位置付けられている地理的区域が知られ得る場合に、ＭＴＣデバイス（例えば、ＷＴＲＵ）のグループに対してトリガする、かつ／またはメッセージを送信するのに使用され得る。セルブロードキャストは、例えば、地理的区域に位置付けられているＭＴＣグループのデバイスのサブセットがトリガされるべき場合に、ＭＴＣデバイス（例えば、ＷＴＲＵ）のグループに対してトリガする、かつ／またはメッセージを送信するのに使用され得る。図２において、アプリケーションサーバ（ＡＳ）２０２が、ＳＣＳ２０４に動作可能に接続され得る。ＳＣＳ２０４は、Ｔｓｐインターフェースを介してＭＴＣインターワーキング機能（ＩＷＦ）２０６に動作可能に接続され得る。グループメッセージは、Ｔｓｐインターフェース上でＭＴＣ  ＩＷＦ２０６によって受信され得る。グループメッセージは、グループ識別、地理的情報、グループメッセージ情報、グループメッセージ受信者に対する命令、適用可能なＲＡＴ、トリガ／メッセージをブロードキャストすべき回数および頻度／レートその他を備えることが可能である。
【００７２】
図２において、ＭＴＣ  ＩＷＦ２０６が、セルブロードキャストセンタ（ＣＢＣ２０８）に動作可能に接続され得る。ＣＢＣ２０８は、ＭＴＣ  ＩＦＷ２０６において構成され得る。ＭＴＣ−ＩＷＦ２０６は、メッセージ識別（ＩＤ）情報要素（ＩＥ）を、ＭＴＣ  ＷＴＲＵトリガのために割り振られた値に、設定することが可能である。ＭＴＣ−ＩＷＦ２０６は、セルブロードキャストメッセージ本文においてグループ識別情報を提供することが可能である。ＭＴＣ  ＩＷＦ２０６は、グループメッセージをＣＢＣ２０８に送信することが可能である。
【００７３】
ＣＢＣ２０８は、モビリティ管理エンティティ（ＭＭＥ）２１０、ＢＳＣ２１２、およびＲＮＣ２１４に動作可能に接続され得る。ＣＢＣ２０８は、グループメッセージコンテンツを伝えることが可能である。ＣＢＣ２０８は、グループトリガおよび／またはメッセージ要求を認識することが可能である。ＣＢＣ２０８は、メッセージ識別（ＩＤ）情報要素（ＩＥ）を、ＭＴＣ  ＷＴＲＵトリガのために割り振られた値に割り当てることが可能である。
【００７４】
ＭＭＥ２１０は、Ｓ１−ＭＭＥインターフェースを介してｅノードＢ２１８に動作可能に接続されることが可能であり、これは、ＬＴＥ−Ｕｕインターフェースを介してＷＴＲＵ２２０ｃに動作可能に接続されることが可能である。ＭＭＥ２１０は、トリガ要求を受信すること、および／または処理することが可能である。ＭＭＥ２１０は、ｅＮＢ２１８にトリガ要求またはグループ情報を転送することが可能である。ＢＳＣ２１２は、Ｇｂインターフェースを介してノードＢ２１６ａに動作可能に接続されることが可能であり、ノードＢ２１６ａは、Ｕｍインターフェースを介してＷＴＲＵ２２０ａに動作可能に接続されることが可能である。ＲＮＣ２１４は、Ｉｕｂインターフェースを介してノードＢ２１６ｂに動作可能に接続されることが可能であり、これは、Ｕｕインターフェースを介してＷＴＲＵ２２０ｂに動作可能に接続されることが可能である。ＣＢＣ２０８は、ターゲットロケーション／区域情報を使用して、トリガブロードキャストのためのセルブロードキャスト区域を決定する。トリガされるＷＴＲＵ２２０ａ／２２０ｂ／２２０ｃが、ＣＢＣ２０８からグループメッセージ情報を受信したセルブロードキャストチャネルをリッスンすることが可能である。
【００７５】
グループ通信は、ＭＢＭＳを使用することが可能である。ＭＢＭＳを用いたグループ通信に関連付けられたアーキテクチャの例が、図３および図４に示される。図３は、ＭＢＭＳを用いたグループ通信のための例示的なアーキテクチャを示す。図３において、アプリケーションサーバ（ＡＳ）３０２は、ＳＣＳ３０４に動作可能に接続され得る。ＳＣＳ３０４は、Ｔｓｐインターフェースを介してＭＴＣインターワーキング機能（ＩＷＦ）３０６に動作可能に接続され得る。ＭＴＣ−ＩＷＦ３０６は、ＭＢＭＳを用いたグループ通信のためのアーキテクチャにおけるように、ブロードキャストマルチキャストサービスセンタ（ＢＭ−ＳＣ）に接続することが可能である。ローミング事例において、ＢＭ−ＳＣは、ＨＰＬＭＮに位置付けられたＨ−ＢＭＳＣ３０８であることが可能である。アプリケーションサーバ３０２が、ＳＣＳ３０４に、ブロードキャストされるべきコンテンツおよび／またはさらなる情報を提供することが可能である。ＳＣＳ３０４は、Ｔｓｐ上でＭＴＣ−ＩＷＦ３０６にコンテンツを転送することが可能である。ＭＴＣ−ＩＷＦ３０６およびＢＭ−ＳＣが並置されない可能性がある場合、それらの間でインターフェースＴｍｂが利用され得る。メッセージコンテンツは、制御プレーンインターフェースＭｚを使用してＨ−ＢＭ−ＳＣ３０８からＶ−ＢＭ−ＳＣ３１０に配信され得る。ＭＴＣ−ＩＷＦ３０６とＢＭ−ＳＣが並置され得る場合、ＩＷＦ／ＢＭ−ＳＣとＭＢＭＳ−ＧＷ３１４の間のインターフェースは、既存のインターフェースＳＧｍｂおよびＳＧｉ−ｍｂに基づくことが可能である。Ｖ−ＢＭＳＣ３１０は、ＳＧｉインターフェースを介してＰＤＮゲートウェイ３１６に動作可能に接続され得る。ＭＴＣ−ＩＷＦ３０６は、グループメッセージング機能をサポートすることが可能である。ＭＴＣ−ＩＷＦ３０６は、ＳＣＳ３０４からグループメッセージング要求を受信することが可能である。ＭＴＣ−ＩＷＦ３０６は、ＳＣＳ３０４からの制御プレーン要求を許可する能力を有することが可能である。ＭＴＣ−ＩＷＦ３０６は、ＳＣＳ３０４に、グループメッセージング要求の承認または非承認を報告することが可能である。ＭＴＣ−ＩＷＦ３０６は、例えば、適切なＨＳＳ３１２に問い合わせて、ＳＣＳ３０４が特定のグループにグループメッセージング要求を送信することを許され得るかどうかを決定することが可能である。ＭＴＣ−ＩＷＦ３０６は、グループメッセージング要求のプロトコルを変換することが可能である。プロトコルを変換することは、プロトコルの意図される受信者のためにプロトコルを解釈することであり得る。ＭＴＣ−ＩＷＦ３０６は、ＢＭ−ＳＣ／ＭＢＭＳ−ＧＷ３１４に向けてグループメッセージング要求のプロトコルを転送することが可能である。ＭＴＣ−ＩＷＦ３０６は、グループ外部識別子、ＳＣＳ識別子その他などのグループメッセージング課金データレコード（ＣＤＲ）を生成することが可能である。ＭＴＣ−ＩＷＦ３０６は、例えば、Ｒｆ／Ｇａのインスタンス上で、課金データ機能（ＣＤＦ）または課金ゲートウェイ機能（ＣＧＦ）にグループメッセージングＣＤＲを転送することが可能である。ＭＴＣ−ＩＷＦ３０６は、例えば、登録されたサービス区域およびＲＡＴに基づいて、セッション開始手順をトリガすることが可能である。
【００７６】
ＭＢＭＳ−ＧＷ３１４は、Ｓｍインターフェースを介してＭＭＥ３１８に、かつ／またはＳｎインターフェースを介してＳＧＳＮ３２０に動作可能に接続され得る。ＭＢＭＳ−ＧＷ３１４（例えば、Ｍ１インターフェースを介して）およびＳＧＳＮ３２０（例えば、Ｉｕインターフェースを介して）は、ＵＴＲＡＮ３２２に動作可能に接続され得る。ＵＴＲＡＮ３２２は、Ｕｕインターフェースを介してＷＴＲＵ３２６ｂに動作可能に接続され得る。ＭＢＭＳ−ＧＷ３１４（例えば、Ｍ１インターフェースを介して）およびＭＭＥ３１８（例えば、Ｍ３インターフェースを介して）は、Ｅ−ＵＴＲＡＮ３２４に動作可能に接続され得る。Ｅ−ＵＴＲＡＮ３２４は、Ｅ−ＵＴＲＡＮ  Ｕｕインターフェースを介してＷＴＲＵ３２６ａに動作可能に接続され得る。
【００７７】
図４は、ＭＢＭＳを用いたグループ通信のための例示的なアーキテクチャを示す。サービス機能サーバ（ＳＣＳ）４０２が、ＭＢＭＳを用いたグループ通信のためのアーキテクチャにおけるように、ＢＭ−ＳＣ４０６に接続することが可能である。図４において、ＭＴＣ−ＩＷＦ４０４は、グループメッセージングに適用できない可能性がある。Ｔｓｐインターフェースが、個別のＷＴＲＵに対するポイントツーポイントデバイストリガ要求（例えば、Ｔ４インターフェース上のＳＭＳ）などの、ユニキャストメッセージを送信するためにＩＷＦ４０４に向けてＳＣＳ４０２においてサポートされ得る。ＳＣＳ４０２は、ブロードキャストが実行され得るか、またはユニキャストメッセージが送信され得るかの間で区別することが可能である。
【００７８】
図３と同様に、図４において、グループ通信のためのメッセージコンテンツが、制御プレーンインターフェースＭｚを使用してＨ−ＢＭ−ＳＣ４０６からＶ−ＢＭ−ＳＣ４０８に配信され得る。Ｖ−ＢＭ−ＳＣ４０８は、インターフェースＳＧｍｂおよびＳＧｉ−ｍｂを介してＭＢＭＳ−ＧＷ４１２に動作可能に接続され得る。Ｖ−ＢＭＳＣ３１０は、ＳＧｉインターフェースを介してＰＤＮゲートウェイ３１６に動作可能に接続され得る。ＭＢＭＳ−ＧＷ４１２は、Ｓｍインターフェースを介してＭＭＥ４１４に、かつ／またはＳｎインターフェースを介してＳＧＳＮ４１６に動作可能に接続され得る。ＭＢＭＳ−ＧＷ４１２（例えば、Ｍ１インターフェースを介して）およびＳＧＳＮ４１６（例えば、Ｉｕインターフェースを介して）は、ＵＴＲＡＮ４１８に動作可能に接続され得る。ＵＴＲＡＮ４１８は、Ｕｕインターフェースを介してＷＴＲＵ４２２ｂに動作可能に接続され得る。ＭＢＭＳ−ＧＷ４１２（例えば、Ｍ１インターフェースを介して）およびＭＭＥ４１４（例えば、Ｍ３インターフェースを介して）は、Ｅ−ＵＴＲＡＮ４２０に動作可能に接続され得る。Ｅ−ＵＴＲＡＮ４２０は、Ｅ−ＵＴＲＡＮ  Ｕｕインターフェースを介してＷＴＲＵ４２２ａに動作可能に接続され得る。
【００７９】
図５は、ＩＰマルチキャスト５００などのＩＰマルチキャストを使用するグループ通信のための例示的なアーキテクチャを示す。グループ通信は、ＩＰマルチキャストを使用することが可能である。ＩＰマルチキャストは、グループ通信を可能にするのに使用され得る。ＩＰマルチキャストは、ＭＴＣデバイスのグループにメッセージを送信するのに使用され得る。ＥＰＣに関して、ＩＰマルチキャストルータ機能が、Ｐ−ＧＷ５０４において利用され得る。ＷＴＲＵは、ゲートウェイＷＴＲＵ（ＧＷＴＲＵ）５０８として動作することが可能である。ＧＷＴＲＵ５０８は、ＩＰマルチキャストルータ機能を有することが可能であり、これは、複数のＭ２Ｍデバイス５１０ａ／５１０ｂ／５１０ｃ／５１０ｄ／５１０ｅを有するキャピラリネットワークがＧＷＴＲＵ５０８の背後で制御されることを許すことが可能である。
【００８０】
パケットドメインは、外部ネットワークから来るＩＰマルチキャストトラフィックに対するアクセスを許すことが可能である。ＳＣＳ５０２は、グループメッセージングのために使用すべきマルチキャストアドレスの範囲を割り当てられることが可能である。ＧＧＳＮ／Ｐ−ＧＷ５０４は、ＩＧＭＰ（ＩＰｖ４）、ＭＬＤ（ＩＰｖ６）、ならびにＤＶＭＲＰ、ＭＯＳＰＦ、またはＰＩＭ−ＳＩＭなどの１つまたは複数のルータ間マルチキャストプロトコルをサポートすることが可能である。例えば、このことは、例えば、パケットコアネットワーク（ＰＣＮ）を使用してＰＬＭＮ外部からマルチキャストグループにサブスクライブ（subscribe）するＷＴＲＵ５０８／５０６に対して行われ得る。ＩＧＭＰ／ＭＬＤが、ＩＰマルチキャストにおいて利用され得る。ＩＧＭＰ／ＭＬＤは、ホスト−ルータマルチキャストプロトコルとして使用され得る。ＩＰマルチキャストを受信することを所望することが可能なＭＴＣホストは、ＩＧＭＰ（例えば、または均等のもの）およびクラスＤ  ＩＰｖ４アドレスまたはＭＬＤおよびＩＰｖ６マルチキャストを実施することが可能である。ＩＰマルチキャストパケット（すなわち、ＭＴＣグループメッセージを有する）をセキュリティ保護するＶＰＮ／トンネルは、ＳＣＳ５０２などの知られている発信元からであることが可能である。ＭＴＣデバイスは、それらが属するＭＴＣグループに対応するマルチキャストアドレスに向けて参加（join）することが可能である。
【００８１】
適切なＭＴＣデバイスにＩＰマルチキャストパケットを配信するのに、ＧＧＳＮ／Ｐ−ＧＷ５０４は、ＩＰマルチキャストプロキシ機能を有することが可能である。ＧＧＳＮ／Ｐ−ＧＷ５０４は、１つまたは複数のマルチキャストグループに参加したモバイルのリストを保持することが可能である。このリストは、ＧＧＳＮ／Ｐ−ＧＷ５０４はＷＴＲＵからＩＧＭＰ参加メッセージまたはＭＬＤ報告メッセージを受信する１つまたは複数の（例えば、それぞれの）ときに構築され、かつ／または更新され得る。ＧＧＳＮ／Ｐ−ＧＷ５０４は、ＷＴＲＵのこの保持されるリストに基づいて、パケットドメインにアタッチされたルータにマルチキャストルーティング情報を送信して、それらがマルチキャストパケットをルーティングすることを許すことが可能である。ＧＧＳＮ／Ｐ−ＧＷ５０４は、マルチキャストパケット（例えば、ＭＴＣグループメッセージを搬送していることが可能な）のＧＧＳＮ／Ｐ−ＧＷ５０４による受信後に、コピーを作成し、かつ／またはＭＴＣグループの１つまたは複数のＷＴＲＵにポイントツーポイントパケットとして送信することが可能である。
【００８２】
ＩＰマルチキャストトラフィックは、ＷＴＲＵがパケットドメインにアタッチされた後に扱われることが可能であり、ベアラ（例えば、活性化されたＰＤＰコンテキスト、認証その他）は、選好されるＩＳＰ／外部ネットワークを指し示す（point）ことが可能である。ＭＴＣ目的の専用ＡＰＮが、ＳＣＳ５０２に向けた専用トンネルで使用され得る。ＳＣＳ５０２は、特定のマルチキャストアドレスを介して特定のグループに向けてＭＴＣグループメッセージを発行することが可能である。ＧＧＳＮ／Ｐ−ＧＷ５０４が、特に大きいグループのために、ＷＴＲＵ５０６／５０８に向けてレート限定様態（例えば、１秒当たりＸのパケット、または１秒当たりＳＧＷ当たりＹのパケットなどに限定）でグループメッセージを配信することが可能である。このことは、マルチキャストメッセージがネットワークを過負荷にすること、およびＳＣＳ５０２が過負荷にされることを回避することが可能である。マルチキャストトラフィックは、パケットドメインの見地からアプリケーションレベルで扱われることが可能であり、ＵＤＰ／ＩＰ上で送信されることが可能である。
【００８３】
近接ベースのサービス（ＰｒｏＳｅ）は、ＷＴＲＵ間の直接の通信の使用に関係することが可能である。ＷＴＲＵ間の直接の通信は、無線上でブロードキャストモードを使用することが可能である。ブロードキャストメッセージは、ＩＰ層パケットを含むことが可能である。レイヤ２フレームは、伝送の発信元を示す情報を備えることが可能である。レイヤ２フレームは、宛先グループ（例えば、メッセージが属することが可能な）を示す情報を備えることが可能である。
【００８４】
ＷＴＲＵは、例えば、３ＧＰＰコンテキストにおいてトリガされ得る。図６は、例示的なＭＴＣアーキテクチャを示す。図６は、ＷＴＲＵをトリガする経路を示すことが可能である。例えば、アプリケーションサーバ６０２が、ＷＴＲＵ６１４がトリガされ得ると決定することが可能である。アプリケーションサーバ６０２は、例えば、アプリケーションロジックに基づいて、ＷＴＲＵ６１４がトリガされ得ると決定することが可能である。アプリケーションサーバ（ＡＳ）６０２が、ＷＴＲＵ６１４をトリガするインジケーションをＳＣＳ６０４に送信することが可能である。ＳＣＳ６０４が、Ｔｓｐインターフェースを介してＭＴＣ−ＩＷＦ６０６にＷＴＲＵ６１４をトリガするインジケーションを送信することが可能である。ＭＴＣ−ＩＷＦ６０６が、ＷＴＲＵ６１４のトリガを許可することが可能であり、Ｔ４インターフェースを介してショートメッセージサービスセンタ（ＳＭＳ−ＳＣ）、ゲートウェイモバイルサービススイッチングセンタ（ＧＭＳＣ）、およびインターワーキングモバイルサービススイッチングセンタ（ＩＷＭＳＣ）６０８にＷＴＲＵ６１４をトリガするインジケーションを転送することが可能である。ＳＭＳ−ＳＣ／ＧＭＳＣ／ＩＷＭＳＣ６０８が、ＭＳＣ６１０にＷＴＲＵ６１４をトリガするインジケーションを送信することが可能である。ＭＳＣ６１０が、ＲＡＮ６１２を介してＷＴＲＵ６１４にＷＴＲＵ６１４をトリガするインジケーションを送信することが可能である。ＷＴＲＵ６１４が、ＷＴＲＵ６１４をトリガするインジケーションを受信することが可能である。ＷＴＲＵ６１４は、メモリと、プロセッサとを有することが可能である。例えば、ＷＴＲＵは、ＳＣＳ６０４またはＡＳ６０２からＭＴＣトリガメッセージを受信するように構成されたプロセッサを有することが可能である。トリガメッセージは、ＭＴＣトリガメッセージが第２のＷＴＲＵに適用可能であるというインジケーションを備えることが可能である。ＷＴＲＵは、ＭＴＣトリガメッセージに基づいて第２のＷＴＲＵに関するグループ識別を決定するように構成されたプロセッサを有することが可能である。ＷＴＲＵは、第２のＷＴＲＵに関する決定されたグループ識別を第２のＷＴＲＵに関する個別のＷＴＲＵ識別に変換するように構成されたプロセッサを有することが可能である。ＷＴＲＵは、第２のＷＴＲＵにＭＴＣトリガメッセージを送信するように構成されたプロセッサを有することが可能である。ＷＴＲＵは、第２のＷＴＲＵから確認インジケーションを受信するように構成されたプロセッサを有することが可能である。
【００８５】
図７は、ＷＴＲＵにトリガをサブミットすることに関連付けられたメッセージングシグナリングの例である。図７において、７２０において、ＳＣＳ７０２が、ドメインネームサービス（ＤＮＳ）７０４にクエリを送信することが可能である。ＤＮＳ７０４が、ＳＣＳ７０２からクエリを受信することが可能である。７３０において、ＳＣＳ７０２が、ＭＴＣ−ＩＷＦ７０６にデバイストリガ要求を送信することが可能である。ＭＴＣ−ＩＷＦ７０６が、ＳＣＳ７０２からトリガ要求を受信することが可能である。７４０において、ＭＴＣ−ＩＷＦ７０６が、デバイストリガ要求を許可することが可能であり、負荷制御を行うことが可能である。ＭＴＣ−ＩＷＦ７０６が、７５０において、ホーム加入者サーバ（ＨＳＳ）／ホームロケーションレジスタ（ＨＬＲ）７０８に加入者情報要求を送信することが可能である。ＨＳＳ／ＨＬＲ７０８が、加入者情報要求を受信することが可能であり、ＨＳＳ／ＨＬＲ７０８が、７６０においてＭＴＣ−ＩＷＦ７０６に加入者情報応答を送信することが可能である。７７０において、ＭＴＣ−ＩＷＦ７０６が、配信選択をトリガすることが可能である。例えば、７７２において、ＭＴＣ−ＩＷＦ７０６が、Ｔ５デバイストリガ配信を行うことが可能である（例えば、図６を参照）。７７４においてＴ５デバイストリガ配信が失敗した場合、ＭＴＣ−ＩＷＦ７０６が、７８０において、Ｔ４デリバリ選択を行うことが可能である（例えば、図８を参照）。例えば、７７６において、ＭＴＣ−ＩＷＦ７０６が、Ｔ４デバイストリガ配信を行うことが可能である（例えば、図８を参照）。７８０において、ＭＴＣ−ＩＷＦ７０６が、ＳＣＳ７０２にデバイストリガレポートを送信することが可能である。７９０において、ＷＴＲＵが、デバイストリガに応答して動作を行うことが可能である。
【００８６】
図８は、Ｔ４インターフェースを介してＷＴＲＵにトリガを送信することに関連付けられたメッセージングチャートの例である。図８において、８２０において、ＭＴＣ−ＩＦＷ８０６が、ＳＭＳ−ＳＣ／ＧＭＳＣ／ＩＷＭＳＣ８１０にトリガをサブミットすることが可能である。ＳＭＳ−ＳＣ／ＧＭＳＣ／ＩＷＭＳＣ８１０が、トリガを受信することが可能である。８２５において、ＳＭＳ−ＳＣ／ＧＭＳＣ／ＩＷＭＳＣ８１０が、ＭＴＣ−ＩＷＦ８０６にトリガ確認メッセージをサブミットすることが可能である。ＭＴＣ−ＩＷＦ８０６が、トリガ確認メッセージを受信することが可能である。８３０において、ＭＴＣ−ＩＷＦ８０６が、ＳＣＳ８０２にデバイストリガ確認メッセージを送信することが可能である。ＳＣＳ８０２が、デバイストリガ確認メッセージを受信することが可能である。８３５において、ＳＭＳ−ＳＣ／ＧＭＳＣ／ＩＷＭＳＣ８１０が、ＭＳＣ／ＭＭＥサービングＧＰＲＳサポートノード（ＳＧＳＮ）ＩＰショートメッセージゲートウェイ（ＩＰ−ＳＭ−ＧＷ）８１４にトリガメッセージを転送することが可能である。ＭＳＣ／ＭＭＥ  ＳＧＳＮ  ＩＰ−ＳＭ−ＧＷ８１４が、トリガメッセージを受信することが可能である。トリガメッセージは、８４０においてＷＴＲＵ８１６とＭＳＣ／ＭＭＥ  ＳＧＳＮ  ＩＰ−ＳＭ−ＧＷ８１４の間で転送され得る。ＭＳＣ／ＭＭＥ  ＳＧＳＮ  ＩＰ−ＳＭ−ＧＷ８１４が、８４５においてＳＭＳ−ＳＣ／ＧＭＳＣ／ＩＷＭＳＣ８１０に配信レポートを送信することが可能である。ＳＭＳ−ＳＣ／ＧＭＳＣ／ＩＷＭＳＣ８１０が、配信レポートを受信することが可能である。ＳＭＳ−ＳＣ／ＧＭＳＣ／ＩＷＭＳＣ８１０が、８５０においてＣＤＲを生成することが可能である。ＳＭＳ−ＳＣ／ＧＭＳＣ／ＩＷＭＳＣ８１０が、８５５においてＨＳＳ／ＨＬＲ８０８にＳＭ配信レポートステータスインジケーションを送信することが可能である。ＳＭＳ−ＳＣ／ＧＭＳＣ／ＩＷＭＳＣ８１０が、８６０においてＭＴＣ−ＩＷＦ８０６にメッセージ配信レポートを送信することが可能である。
【００８７】
トリガは、ＳＭＳメッセージであることが可能である。ＳＭＳメッセージは、情報（例えば、トリガが送信され得るアプリケーションに関連付けられた情報）を含むことが可能である。ＷＴＲＵが、ＭＴＣサーバおよび／またはＭＴＣアプリケーションを相手にＩＰ接続を確立することが可能である。例えば、ＷＴＲＵが、ＭＴＣサーバおよび／またはＭＴＣアプリケーションを相手にＩＰ接続を確立して、トリガが送信されている可能性がある通信をフォローアップすることが可能である。ＷＴＲＵが、ＳＭＳの目的を決定することが可能である。例えば、ＷＴＲＵが、例えば、ＴＰプロトコル識別子ＩＥを検査することによって、ＳＭＳがトリガするためであると決定することが可能である。
【００８８】
ＳＭＳは、ＷＴＲＵをトリガするのに使用され得る。ＳＭＳは、ＷＴＲＵが利用可能でなかった可能性がある（例えば、サービス機能サーバ（ＳＣＳ）および／またはアプリケーションサーバ（ＡＳ）がＷＴＲＵのＩＰアドレスを知らない可能性がある）場合、ＷＴＲＵを連絡可能にすることが可能である。ＳＭＳは、ＷＴＲＵのグループをトリガするのに使用され得る。ＳＭＳは、ＷＴＲＵのグループが利用できなかった可能性がある場合、ＷＴＲＵのグループを連絡可能にすることができる可能性がある。トリガするためにＳＭＳを使用することは、デバイス当たりＳＭＳを使用することが可能である。例えば、ＷＴＲＵの大きいグループが、送信される多数のＳＭＳを使用することが可能であり、これが、システムレベルにおいて（例えば、Ｔｓｐインターフェース、Ｔ４インターフェース、コアネットワーク（ＣＮ）、ＲＡＮインターフェースなどにおいて）大量のシグナリングを生成することが可能である。グループトリガが、例えば、１つまたは複数のＭＴＣアーキテクチャインターフェースに関連付けられることが可能なシグナリングを低減することによって、シグナリングを低減するのに使用され得る。
【００８９】
図９は、効率的なグループトリガのための例示的なアーキテクチャである。グループトリガは、ＳＭＳおよびＰｒｏＳｅ（例えば、ＰＣ５上のような直接の１対多通信）を使用することが可能である。図９において、ＡＳ９０２が、ＳＣＳ９０４に動作可能に接続され得る。ＳＣＳ９０４は、Ｔｓｐインターフェースを介してＩＷＦ９０６に動作可能に接続され得る。ＩＷＦ９０６は、Ｓ６ｍインターフェースを介してＨＳＳ９０８に動作可能に接続され得る。ＩＷＦ９０６は、Ｔ４インターフェースを介してＳＭＳ−ＳＣ９１０に接続されることも可能である。ＳＭＳ−ＳＣ９１０は、ＭＭＥ９１２に動作可能に接続され得る。ＭＭＥ９１２は、Ｓ１インターフェースを介してＲＡＮ９１４に動作可能に接続され得る。ＲＡＮ９１４は、Ｕｕインターフェースを介してＷＴＲＵ９２０、９２２、９２４、９２６に動作可能に接続され得る。
【００９０】
ＷＴＲＵは、ゲートウェイＷＴＲＵ（ＧＷＴＲＵ）であることが可能である。ゲートウェイＷＴＲＵ９２０が、例えば、ＡＳ９０２からトリガ（例えば、ＳＭＳ）を受信することが可能である。ゲートウェイＷＴＲＵ９２０が、トリガメッセージを解釈することが可能である。ＲＡＮ９１４が、Ｕｕインターフェースを介してゲートウェイＷＴＲＵ（ＧＷＴＲＵ）９２０に動作可能に接続され得る。ＧＷＴＲＵ９２０が、ＰＣ５インターフェースを介してＷＴＲＵ１  ９２２、ＷＴＲＵ２  ９２４、およびＷＴＲＵ３  ９２６に動作可能に接続され得る。ＧＷＴＲＵ９２０が、他のＷＴＲＵ（例えば、ＷＴＲＵ１  ９２２、ＷＴＲＵ２  ９２４、およびＷＴＲＵ３  ９２６）をトリガすることが可能であり、例えば、ＧＷＴＲＵ９２０が、トリガメッセージを受信したこと、および／または解釈したことに応答して他のＷＴＲＵ９２２、９２４、９２６をトリガすることが可能である。ゲートウェイＷＴＲＵ９２０が、トリガに含められ得る予約された値（例えば、ＳＭＳヘッダ、情報要素（ＩＥ）、および／またはＳＭＳコンテンツにおける情報）などの情報に基づいてＷＴＲＵをトリガすることが可能である。ゲートウェイＷＴＲＵ９２０が、他のＷＴＲＵ（例えば、ＷＴＲＵ１  ９２２、ＷＴＲＵ２  ９２４、およびＷＴＲＵ３  ９２６）をトリガすることが可能である。例えば、ゲートウェイＷＴＲＵ９２０が、直接の１対多通信などのＰｒｏＳｅを使用して他のＷＴＲＵをトリガすることが可能である。ＧＷＴＲＵ９２０は、ＰＣ５上などでＰｒｏＳｅを使用して他のＷＴＲＵをトリガすることが可能である。ＧＷＴＲＵ９２０が、例えば、ＡＳ９０２からトリガ（例えば、ＳＭＳ）を受信することが可能である。ＧＷＴＲＵ９２０が、例えば、トリガ情報を用いて他のＷＴＲＵをトリガする（例えば、ＰＣ５上でＩＰパケットを送信して）ことが可能である。例えば、ＧＷＴＲＵ９２０が、ＰＣ５参照ポイント上でＳＭＳを送信することが可能である。ＧＷＴＲＵ９２０によってトリガされたＷＴＲＵ（例えば、ＷＴＲＵ１  ９２２、ＷＴＲＵ２  ９２４、およびＷＴＲＵ３  ９２６）が、ＡＳ９０２と接触することが可能である。ＷＴＲＵ（例えば、ＷＴＲＵ１  ９２２、ＷＴＲＵ２  ９２４、およびＷＴＲＵ３  ９２６）は、ＧＷＴＲＵ９２０からのトリガを受信すること、および／または解釈することに応答してＡＳ９０２と接触することが可能である。例えば、ＷＴＲＵ（例えば、ＷＴＲＵ１  ９２２、ＷＴＲＵ２  ９２４、およびＷＴＲＵ３  ９２６）が、ＷＴＲＵ（例えば、ＷＴＲＵ１  ９２２、ＷＴＲＵ２  ９２４、およびＷＴＲＵ３  ９２６）がＰＣ５上でトリガ（例えば、ＩＰまたはＳＭＳ）を受信した場合、ＡＳ９０２と接触することが可能である。ＷＴＲＵ（例えば、ＷＴＲＵ１  ９２２、ＷＴＲＵ２  ９２４、およびＷＴＲＵ３  ９２６）は、ＩＰ接続を確立することが可能である。ＷＴＲＵ（例えば、ＷＴＲＵ１  ９２２、ＷＴＲＵ２  ９２４、およびＷＴＲＵ３  ９２６）は、例えば、ＧＷＴＲＵ９２０が、ＰＣ５上などでトリガ（例えば、ＩＰまたはＳＭＳ）を受信した場合および／またはＡＳ９０２と接触した場合、ＩＰ接続を確立することが可能である。
【００９１】
ＳＭＳは、グループトリガを示すのに使用され得る。ＳＭＳトリガが使用される場合、受信するＷＴＲＵに、メッセージがグループトリガのためであるというインジケーションが提供され得る。例えば、ＳＭＳメッセージにおいて情報要素（ＩＥ）が使用されて（例えば、ＴＰヘッダ、ＣＰヘッダ、別のヘッダ、および／または類似したものの一部として）インジケーションを提供することが可能である。ＩＥに関する値が使用され得る（例えば、ＴＰプロトコルＩＤに関する値が使用されて、メッセージがグループトリガのためであることを示すことが可能である）。
【００９２】
ＷＴＲＵが、ＧＷＴＲＵとして動作するように構成され得る（例えば、ＮＡＳメッセージおよび／またはＲＲＣメッセージその他を使用して）。ネットワークが、ＮＡＳメッセージ（例えば、アタッチ承認、追跡区域更新（ＴＡＵ）承認その他）においてＧＷＴＲＵとして動作するようＷＴＲＵに知らせることが可能である。ネットワークが、ＲＲＣメッセージ（例えば、ＲＲＣＣｏｎｎｅｃｔｉｏｎＲｅｃｏｎｆｉｇｕｒａｔｉｏｎ）においてＧＷＴＲＵとして動作するようＷＴＲＵに知らせることが可能である。ＩＥが含められ得る。ＩＥに関する値が、ＷＴＲＵがＧＷＴＲＵとして動作することを示すことが可能である。ＷＴＲＵは、それがそのように構成される場合、またはそれがそのようにするようにインジケーションを受信する場合、ＧＷＴＲＵとして動作することが可能である。インジケーションは、本明細書で説明される特徴のうちの１つまたは複数に基づくことが可能である。例えば、インジケーションは、ブロードキャストメッセージ（例えば、ＲＲＣシステム情報ブロードキャストメッセージ）において提供され得る。ＷＴＲＵは、ＰｒｏＳｅ機能（例えば、ＰＣ３参照ポイント上、またはＩＰインターフェース上で）またはそれに類したものによってＧＷＴＲＵとして動作するように構成され得る。ＷＴＲＵは、ＡＳまたはそれに類したものによってＧＷＴＲＵとして動作するように構成され得る。
【００９３】
ＷＴＲＵがＧＷＴＲＵとして動作するように構成される場合、ＷＴＲＵは、そのような構成についてネットワーク構成要素に知らせることが可能である。図１０〜図１２は、ＷＴＲＵが、それがＧＷＴＲＵとして動作するように構成されることをネットワーク構成要素に知らせる例示的なメッセージングチャートを示す。ＷＴＲＵが、ＷＴＲＵがＧＷＴＲＵとして動作するように構成されることを示す情報（例えば、能力情報および／または構成情報）をネットワークに送信することが可能である。ＷＴＲＵがＧＷＴＲＵとして動作するように構成されることを示す情報を送信することは、メッセージ（例えば、ＮＡＳメッセージまたはＲＲＣメッセージ）を送信することによって実施され得る。ＷＴＲＵは、それがＧＷＴＲＵとして動作することができ得ることをＡＳに知らせることが可能である。ＡＳが、ＧＷＴＲＵとして動作するＷＴＲＵの能力のインジケーションをネットワークに提供することが可能である（例えば、既存のインターフェースを介して、かつ／またはＡＳおよびＰｒｏＳｅ機能を接続するＰＣ２インターフェース上で）。
【００９４】
ＬＴＥシステム（例えば、ＭＭＥ、ｅＮＢ）が、本明細書における例を説明するのに使用され得るが、例は、ＵＭＴＳ、ＧＥＲＡＮその他などの他のシステムにおいて、およびＬＴＥもしくはＥＰＳにおける対応するものと同様の機能を有するＳＧＳＮ、ＭＳＣ／ＶＬＲ、ＲＮＣなどの他のノードに関して適用する。
【００９５】
図１０は、ＷＴＲＵが、それがＧＷＴＲＵとして動作するように構成されることをネットワーク構成要素に知らせる例示的なメッセージングチャートを示し、ＷＴＲＵは、それがＧＷＴＲＵとして動作することができることをコアネットワークに示すことが可能であり、ＷＴＲＵは、ＧＷＴＲＵとして動作する構成を獲得することが可能である。１０１０において、ＷＴＲＵ１００１が、ＧＷＴＲＵとして動作することができ、かつ／または動作するように構成されることが可能である。例えば、ＷＴＲＵが、ＧＷＴＲＵとして動作するように事前構成されることが可能であり、ユーザによってＧＷＴＲＵとして動作するように構成されることが可能であり、システム登録後もしくはネットワーク登録後、構成を受信することが可能であり、ＧＷＴＲＵとして動作するプロトコル（例えば、オープンモバイルアライアンスデバイス管理（Open  Mobile  Alliance  Device  Management））を受信することその他が可能である。ＷＴＲＵ１００１は、ＧＷＴＲＵとして動作するその能力を示すように構成され得る。１０２０において、ＷＴＲＵ１００１は、ネットワーク（例えば、ＭＭＥ１００３などのコアネットワークノード）にＮＡＳメッセージを送信することが可能である。ＮＡＳメッセージは、ＧＷＴＲＵ１００１として動作するＷＴＲＵ１００１の能力を示すことが可能である。ＮＡＳメッセージは、アタッチ要求メッセージ、追跡区域更新（ＴＡＵ）要求メッセージ、または他の任意のＮＡＳメッセージなどの任意のメッセージであることが可能である。ＭＭＥ１００３は、ＷＴＲＵ１００１からＮＡＳメッセージを受信することが可能である。１０３０において、ＭＭＥ１００３が、ＨＳＳ１００４からＷＴＲＵ１００１コンテキストをフェッチすることが可能である。１０４０において、ＨＳＳ１００４が、ＭＭＥ１００３に、このＷＴＲＵ１００１に関するサブスクリプション情報を提供することが可能である。サブスクリプション情報は、ＷＴＲＵ１００１がＧＷＴＲＵ１００１として動作することができる、またはＷＴＲＵ１００１がＧＷＴＲＵ１００１として動作することを許され得るというインジケーションを含むことが可能である。ＭＭＥ１００３が、ＨＳＳ１００４からサブスクリプション情報を受信することが可能である。サブスクリプション情報は、例えば、ＣＮノードがＨＳＳ１００４からコンテキストをフェッチする場合、またはＨＳＳがＣＮノードにコンテキスト更新（例えば、新たなコンテキスト更新）をプッシュする場合、サービングＣＮノード（例えば、ＭＭＥ、ＳＧＳＮ、ＭＳＣ／ＶＬＲ）にダウンロードされ得る。ＣＮノードは、例えば、本明細書で説明される特徴のうちの１つまたは複数（例えば、ＮＡＳメッセージ）を使用して、ＷＴＲＵ１００１に構成を転送することが可能である。ＣＮノードが、例えば、ＲＡＮノード（例えば、ｅＮＢ１００２）に情報を転送して、ＷＴＲＵがＧＷＴＲＵとして動作することが可能であることを示すことが可能である。ｅＮＢ１００２、および／または類似したものが、ＲＲＣメッセージおよび／または類似したものなどのメッセージを使用して、ＧＷＴＲＵ１００１に情報（例えば、インジケーション、構成）を転送することが可能である。ｅＮＢ１００２が、ＧＷＴＲＵ１００１にＲＲＣメッセージを送信することが可能である。ＲＣＣメッセージは、ＧＷＴＲＵ構成を含み得る。ＧＷＴＲＵ構成は、ＷＴＲＵがＧＷＴＲＵとして動作する構成であることが可能である。ＧＷＴＲＵ１００１が、ｅＮＢ１００２からＲＲＣメッセージを受信することが可能である。
【００９６】
１０５０において、ＭＭＥ１００３が、それがＨＳＳ１００４から受信している可能性があるサブスクリプション情報などのインジケーションをｅＮＢ１００２に転送することが可能である。インジケーションは、ＷＴＲＵ１００１がＧＷＴＲＵ１００１であることができること、またはＷＴＲＵ１００１がＧＷＴＲＵ１００１として動作することを許され得ることを指定することが可能である。ｅＮＢ１００２が、ＭＭＥ１００３からインジケーションおよび／またはサブスクリプション情報を受信することが可能である。１０６０において、ｅＮＢ１００２が、ＧＷＴＲＵとして動作する構成をＷＴＲＵ１００１に転送することが可能である。ｅＮＢ１００２は、専用ＲＲＣメッセージまたはブロードキャストＲＲＣメッセージを介して構成情報を送信することが可能である。ＷＴＲＵ１００１が、構成情報を受信することが可能である。ＷＴＲＵ１００１が、ＧＷＴＲＵのように動作することを開始することが可能である。１０７０において、ＭＭＥ１００３が、ＷＴＲＵ１００１がＧＷＴＲＵとして動作することが可能であるというインジケーションまたは構成を有する、アタッチ承認またはＴＡＵ承認などのＮＡＳメッセージで１０２０からＷＴＲＵ１００１に応答することも可能である。ＷＴＲＵ１００１が、構成情報を受信することが可能である。ＷＴＲＵ１００１が、ＧＷＴＲＵのように動作することを開始することが可能である。
【００９７】
図１１は、ＷＴＲＵが、ＷＴＲＵがＧＷＴＲＵとして動作することができ、かつ／またはＧＷＴＲＵとして動作する構成を獲得することが可能であることをＲＡＮおよび／またはｅＮＢに示す例示的なメッセージングチャートを示す。１１１０において、ＷＴＲＵ１１０１は、ＧＷＴＲＵとして動作することができ、かつ／または動作するように構成されることが可能である。例えば、ＷＴＲＵが、ＧＷＴＲＵとして動作するように事前構成されることが可能であり、ユーザによってＧＷＴＲＵとして動作するように構成されることが可能であり、システム登録後もしくはネットワーク登録後、構成を受信することが可能であり、ＧＷＴＲＵとして動作するプロトコル（例えば、オープンモバイルアライアンスデバイス管理）を受信することその他が可能である。１１２０において、ＷＴＲＵ１１０１が、それがＧＷＴＲＵとして動作するその能力を示すＲＲＣメッセージをネットワーク（例えば、ｅＮＢ１１０２）に送信することが可能である。ｅＮＢ１１０２は、ＷＴＲＵ１１０１からＲＲＣメッセージを受信することが可能である。１１３０において、ｅＮＢ１１０３が、ＧＷＴＲＵとして動作する構成をＷＴＲＵ１１０１に転送することが可能である。ｅＮＢ１１０３は、専用ＲＲＣメッセージまたはブロードキャストＲＲＣメッセージを介して構成を送信することが可能である。ＷＴＲＵ１１０１が、構成を受信することが可能である。ＷＴＲＵ１１０１が、ＧＷＴＲＵのように動作することを開始することが可能である。
【００９８】
図１２は、ＷＴＲＵが、それがＧＷＴＲＵとして動作することができることをＳＣＳ／ＡＳ１２０６に示す例示的なメッセージングチャートを示す。図１２において、ＳＣＳ／ＡＳ１２０６は、ＷＴＲＵ１２０１がＧＷＴＲＵとして動作することができることをＰｒｏＳｅサーバ１２０５に知らせることが可能であり、ＳＣＳ／ＡＳ１２０６またはＰｒｏＳｅサーバ１２０５は、ＧＷＴＲＵとして動作するようにＷＴＲＵ１２０１を構成することが可能である。特に、１２１０において、ＷＴＲＵ１２０１がＧＷＴＲＵとして動作することができ、かつ／または動作するように構成されることが可能である。例えば、ＷＴＲＵが、ＧＷＴＲＵとして動作するように事前構成されることが可能であり、ユーザによってＧＷＴＲＵとして動作するように構成されることが可能であり、システム登録後もしくはネットワーク登録後、構成を受信することが可能であり、ＧＷＴＲＵとして動作するプロトコル（例えば、オープンモバイルアライアンスデバイス管理）を受信することその他が可能である。１２２０において、ＷＴＲＵ１２０１が、それがＧＷＴＲＵとして動作することができる、またはＷＴＲＵ１２０１がＧＷＴＲＵとして動作するように構成されることが可能であり得る、もしくは構成されるというインジケーションをＳＣＳ／ＡＳ１２０６に送信することが可能である。ＳＣＳ／ＡＳ１２０６が、ＷＴＲＵ１２０１からインジケーションを受信することが可能である。１２３０において、ＳＣＳ／ＡＳ１２０６が、ＷＴＲＵ１２０１がＧＷＴＲＵであることができ得ることをＰｒｏＳｅサーバ１２０５に（例えば、ＰＣ２インターフェース上で）示すことが可能である。ＰｒｏＳｅサーバ１２０５が、ＳＣＳ／ＡＳ１２０６からインジケーションを受信することが可能である。１２４０において、ＰｒｏＳｅサーバ１２０５が、ＧＷＴＲＵとして動作するようにＷＴＲＵ１２０１を構成するメッセージをＷＴＲＵ１２０１に（例えば、ＰＣ３インターフェース上、またはＩＰインターフェース上で）送信することが可能である。ＷＴＲＵ１２０１が、ＰｒｏＳｅサーバ１２０５からメッセージを受信することが可能である。１２５０において、ＳＣＳ／ＡＳ１２０６が、応答し、および／または、ＧＷＴＲＵとして動作するようにＷＴＲＵ１２０１を構成するアプリケーション層メッセージをＷＴＲＵ１２０１に送信することが可能である。ＷＴＲＵ１２０１が、ＳＣＳ／ＡＳ１２０６からメッセージを受信することが可能である。ＷＴＲＵ１２０１が、ＧＷＴＲＵのように動作することを開始することが可能である。
【００９９】
ＷＴＲＵとして動作することを開始するようにＷＴＲＵを構成する本明細書で説明される特徴のうちの１つまたは複数が、ＧＷＴＲＵとして動作することを停止するようにＷＴＲＵを構成するのに使用され得る。例えば、ＧＷＴＲＵが、ＧＷＴＲＵがＧＷＴＲＵとして動作することを停止し、ＷＴＲＵとして動作することを開始することを示すメッセージをＭＭＥに送信することが可能である。ＧＷＴＲＵが、ＧＷＴＲＵがＧＷＴＲＵとして動作することを停止し、ＷＴＲＵとして動作することを開始することを示すメッセージをｅＮＢに送信することが可能である。ＧＷＴＲＵとして動作することを停止するようにＷＴＲＵを構成する本明細書で説明される特徴のうちの１つまたは複数が、ＧＷＴＲＵとして動作することを開始するようにＷＴＲＵを構成するのに使用され得る。
【０１００】
既存のトリガなどのトリガが、グループトリガおよび／またはグループ通信のために強化され得る。例えば、ＳＭＳトリガが使用される場合、メッセージがグループトリガのためであることを受信者ＷＴＲＵに示すことが可能な方法が実施され得る。メッセージがグループトリガのためであるというインジケーションを提供することが可能なＩＥが、ＳＭＳメッセージにおいて使用され得る（例えば、ＴＰヘッダ、ＣＰヘッダ、別のヘッダ、および／または類似したものの一部として）。ＩＥに関する値が使用され得る（例えば、ＴＰプロトコルＩＤに関する値が設定され得る）。ＩＥに関する値が、メッセージがグループトリガのためであることを示すことが可能である。
【０１０１】
ＷＴＲＵが、メモリと、プロセッサとを有することが可能である。例えば、ＷＴＲＵが、ＧＷＴＲＵからＭＴＣトリガメッセージを受信するように構成されたプロセッサを有することが可能である。トリガメッセージは、動作インジケーションなどのインジケーションを含むことが可能である。インジケーションは、受信者ＷＴＲＵがＷＴＲＵのグループをトリガするのに使用することが可能な方法を知らせることが可能である。例えば、ＰＣ５インターフェースが使用されることが可能であり、ＩＰパケットがＰＣ５上で送信されることが可能であり、かつ／またはＳＭＳがＰＣ５上で送信されることその他が可能であることを受信者ＷＴＲＵに知らせるインジケーションが使用され得る。ＷＴＲＵは、ＭＴＣトリガメッセージを解析して、動作インジケーションを決定するように構成されたプロセッサを有することが可能である。ＷＴＲＵは、決定された動作インジケーションに基づいて、ＡＳにデータを求める要求を送信するように構成されたプロセッサを有することが可能である。ＷＴＲＵは、ＰｒｏＳｅサーバまたはＰｒｏＳｅ機能と接触するように構成されたプロセッサを有することが可能である。ＷＴＲＵは、ＧＷＴＲＵに確認インジケーションを送信するように構成されたプロセッサを有することが可能である。
【０１０２】
ＷＴＲＵは、サーバからトリガメッセージを受信するように構成されたプロセッサを有することが可能である。サーバは、アプリケーションサーバまたは近接サービス（ＰｒｏＳｅ）機能であることが可能である。トリガメッセージは、動作を開始するインジケーションを備えることが可能である。動作は、直接リンク上の伝送を備えることが可能である。動作は、直接リンク上の発見の伝送を備えることが可能である。ＷＴＲＵは、サーバに応答メッセージを送信するように構成されたプロセッサを有することが可能である。応答メッセージは、トリガメッセージの受信を示すことが可能である。ＷＴＲＵは、トリガメッセージに基づいて、動作を開始するように構成されたプロセッサを有することが可能である。ＷＴＲＵは、例えば、少なくとも１つの事前構成されたＰｒｏＳｅパラメータに基づいて直接リンク上で発見の伝送を開始するように構成されたプロセッサを有することが可能である。
【０１０３】
メッセージコンテンツは、本明細書で説明されるインジケーションまたは情報のうちの１つまたは複数を含むことが可能である。情報は、トリガメッセージに含められ得る。トリガメッセージに含められ得る情報は、トリガされているグループ（例えば、グループＩＤ）、個別のＷＴＲＵ  ＩＤのリスト、トリガする時間（例えば、ＷＴＲＵ当たり）、使用すべきＩＰアドレス、ＰＣ５（例えば、直接のＰｒｏＳｅ通信）のために使用すべきレイヤ２アドレス、および／またはその他であることが可能である。情報は、例えば、新たなＩＥ、既存のＩＥ、またはＳＭＳメッセージの一部として、トリガメッセージに含められ得る。
【０１０４】
トリガメッセージが、受信者ＷＴＲＵに関する情報（例えば、受信者が次に何をすることが可能であるか）を含むことが可能である。例えば、情報は、以下のうちの１つまたは複数を含むことが可能である。トリガメッセージが、受信者ＷＴＲＵが実行することが可能な動作（例えば、ＷＴＲＵのグループをトリガする、グループを識別する、ＰＣ５参照ポイント上で発見を開始するその他）を示すことが可能である。トリガメッセージが、トリガのための方法（例えば、ＰＣ５上のＩＰ、ＩＰ上のＳＭＳ、ＰＣ５上、ＰＣ５上のＳＭＳその他）を示すことが可能である。トリガメッセージが、ＰＣ５が使用されるべき場合のように、ＰＣ５上の直接の１対多通信のために使用され得る関係のあるパラメータ（例えば、レイヤ２発信元／宛先ＩＤ、グループＩＤ、ＩＰアドレスその他）を含むことが可能である。ＷＴＲＵは、グループＩＤ当たりこの情報で構成されることが可能であり、これが送信されるトリガメッセージおよび／またはグループＩＤに基づいて、事前構成された情報を使用して動作を行う、例えば、ＷＴＲＵにおける構成に従って、ＰｒｏＳｅパラメータを用いてＰＣ５上で他のデバイスをトリガすることが可能である。
【０１０５】
トリガメッセージが、グループＩＤを示すことが可能である。トリガメッセージが、トリガすべき１つのＷＴＲＵのＩＤを示すことが可能である。トリガメッセージが、トリガする時間を示すことが可能である。トリガメッセージが、受信者ＷＴＲＵがＡＳおよび／またはＰｒｏＳｅ機能と接触することが可能であることを示すことが可能である。これが行われる場合、ＡＳ機能および／またはＰｒｏＳｅ機能が、受信者ＷＴＲＵに動作（例えば、本明細書で説明される）および／または情報（例えば、本明細書で説明される）を提供することが可能である。トリガメッセージが、受信者ＷＴＲＵが、ＴＭＧＩによって識別されるようなＭＢＭＳセッションをリッスンすることが可能であることを示すことが可能である。ＴＭＧＩによって識別されるようなＭＢＭＳセッションが、トリガメッセージに含められ得る。
【０１０６】
トリガメッセージが、受信者ＷＴＲＵがデータをフェッチすることが可能である（例えば、ユニキャストまたはＭＢＭＳその他を使用して）ことを示すことが可能である。トリガメッセージが、受信者ＷＴＲＵが、例えば、ＰＣ５  １対多ＰｒｏＳｅ通信を使用して、ＷＴＲＵに情報を転送することが可能であることを示すことが可能である。例えば、ＧＷＴＲＵが、グループにおける他のＷＴＲＵのための中継器として動作することが可能である。トリガメッセージが、ＧＷＴＲＵに割り当てられ得るＷＴＲＵの数を報告する動作を示すことが可能である。トリガメッセージが、ＧＷＴＲＵがコンテキストを有することが可能なＷＴＲＵの数を報告する動作を示すことが可能である。トリガメッセージが、例えば、ＰＣ５参照ポイント上でＧＷＴＲＵと接触する動作を示すことが可能である。トリガメッセージが、例えば、トリガメッセージにおいて提供され、かつ／または受信者ＷＴＲＵにおいて構成され得るＰｒｏＳｅパラメータによって、ＧＷＴＲＵと接触する動作を示すことが可能である。トリガメッセージが、受信者ＷＴＲＵがＷＴＲＵをトリガすることが可能な様態（例えば、時間においてランダム化された、構成されたタイミング様態を使用する、トリガメッセージにおいて受信されたタイミング情報を使用する、ＡＳからのタイミング情報を使用する、ＰｒｏＳｅサーバからのタイミング情報を使用する、かつ／または類似したこと）を示すことが可能である。
【０１０７】
トリガメッセージが、トリガメッセージが複数のＷＴＲＵに適用可能であることを示すことが可能である。ＧＷＴＲＵは、トリガメッセージが複数のＷＴＲＵに適用可能であることを示すトリガメッセージを受信するように構成され得る。ＧＷＴＲＵは、ＭＴＣトリガメッセージに基づいて、複数のＷＴＲＵに関するグループ識別を決定することが可能である。ＧＷＴＲＵは、複数のＷＴＲＵに関する決定されたグループ識別を、複数のＷＴＲＵにおける１つまたは複数の（例えば、各）ＷＴＲＵに関する複数の個別のＷＴＲＵ識別子に変換することが可能である。ＧＷＴＲＵは、複数のＷＴＲＵにＭＴＣトリガメッセージを送信することが可能である。
【０１０８】
受信者ＷＴＲＵは、非ＧＷＴＲＵであることが可能である。受信者ＷＴＲＵが、情報のすべての組合せおよび／または任意の組合せを受信することが可能である。本明細書で説明される受信者ＷＴＲＵに関係する方法および手順は、非ＧＷＴＲＵ（例えば、ＷＴＲＵ１、ＷＴＲＵ２、ＷＴＲＵ３）にも等しく適用する。
【０１０９】
図１３は、ＧＷＴＲＵのトリガ機能に関連付けられたメッセージングチャートの例である。図１３において、ＧＷＴＲＵが、本明細書で説明されるトリガメッセージなどのトリガメッセージを受信することが可能である。ＧＷＴＲＵは、トリガメッセージを解析することが可能である。例えば、ＧＷＴＲＵは、トリガメッセージに包含される情報を解析することが可能である。ＧＷＴＲＵは、例えば、ＰＣ３インターフェース上、またはＩＰインターフェース上でＰｒｏＳｅサーバと接触することが可能である。ＧＷＴＲＵは、例えば、ＧＷＴＲＵがトリガメッセージコンテンツを解析した後、ＡＳと接触することが可能である。ＧＷＴＲＵは、ＰｒｏＳｅサーバまたはＡＳからさらなるインジケーションを要求することが可能である。ＰｒｏＳｅサーバまたはＡＳは、ＧＷＴＲＵにさらなるインジケーションを送信することが可能である。ＧＷＴＲＵは、例えば、トリガメッセージにおいて受信された情報、および／またはＰｒｏＳｅサーバもしくはＡＳから受信された情報を使用して、ＰＣ５（例えば、ＩＰまたはＳＭＳ）インターフェース上で他のＷＴＲＵをトリガすることが可能である。ＧＷＴＲＵは、例えば、ユニキャスト上、またはＭＢＭＳ上でグループデータを受信することが可能である。グループデータは、１つまたは複数のＷＴＲＵのために意図されるデータであることが可能である。ＧＷＴＲＵは、例えば、ＰＣ５インターフェース上で、他のＷＴＲＵに受信グループデータを中継することが可能である。
【０１１０】
非ＧＷＴＲＵが、トリガメッセージ（例えば、既存のＲ１１を使用するＳＭＳ）を受信することが可能である。図１４は、非ＧＷＴＲＵのトリガ機能に関連付けられたメッセージングチャートの例である。図１４において、ＷＴＲＵが、例えば、ＰＣ５インターフェースを介してＧＷＴＲＵからトリガメッセージを受信することが可能である。トリガメッセージ（例えば、非ＧＷＴＲＵによって受信される）は、ＰＣ５上の以前のグループトリガが、ＷＴＲＵに、例えば、ＰｒｏＳｅ機能、ＡＳ、またはＧＷＴＲＵと接触させることに成功していなかった可能性がある場合などの、情報、および／またはＷＴＲＵによって行われ得る動作を包含することが可能である。ＷＴＲＵが、トリガメッセージを解析することが可能である。例えば、ＷＴＲＵが、トリガメッセージに包含される情報を解析することが可能である。ＷＴＲＵが、例えば、ＰＣ３インターフェースまたはＩＰインターフェースを介して、ＰｒｏＳｅサーバと接触して、さらなるインジケーションを要求することが可能である。ＷＴＲＵが、ＡＳと接触してさらなるインジケーションを要求することが可能である。ＷＴＲＵが、ＰｒｏＳｅサーバまたはＡＳからさらなるインジケーションを受信することが可能である。ＷＴＲＵが、ＰｒｏＳｅサーバおよび／またはＡＳから受信された情報またはさらなるインジケーションを使用してＧＷＴＲＵと接触することが可能である。ＷＴＲＵが、ユニキャスト上、またはＭＢＭＳ上でグループデータを受信することが可能である。ＷＴＲＵが、例えば、ＰＣ５インターフェースを介して、ＧＷＴＲＵからグループデータを受信することが可能である。ＡＳ、ＰｒｏＳｅサーバ、および／またはＧＷＴＲＵが、時間窓内でトリガに応答している可能性があるＷＴＲＵを追跡することが可能である。ＡＳおよび／または類似したものが、例えば、ＷＴＲＵによって全く接触が行われない場合、直接のトリガメッセージを送信することが可能である。ＷＴＲＵは、それがトリガメッセージを受信したことを示す確認メッセージをＧＷＴＲＵに送信することが可能である。
【０１１１】
ＧＷＴＲＵが、ＷＴＲＵの背後にあることが可能な非ＧＷＴＲＵのカウントを保持するように構成され得る。ＧＷＴＲＵが、非ＧＷＴＲＵが背後にあることが可能なＷＴＲＵなどの、ＷＴＲＵのＩＤを保持するように構成され得る。ＧＷＴＲＵが、グループに属するＷＴＲＵのグループＩＤおよび／または数／ＩＤその他などのグループ情報を保持するように構成され得る。ＧＷＴＲＵが、ＷＴＲＵが背後にあることが可能なＧＷＴＲＵのＩＤを保持するように構成され得る。ＧＷＴＲＵが、ＷＴＲＵが接続され得るＧＷＴＲＵのＩＤを保持するように構成され得る。
【０１１２】
ＧＷＴＲＵが、ＧＷＴＲＵに周期的メッセージ（例えば、登録）を送信するように構成され得る。ＧＷＴＲＵが、ＧＷＴＲＵに周期的メッセージを送信して、例えば、メッセージが送信され得るグループにおけるプレゼンスおよび／またはグループＩＤを示すように構成され得る。ＧＷＴＲＵが、情報を送信していることが可能なＷＴＲＵのＩＤを送信するように構成され得る。ＧＷＴＲＵが、ＡＳ、ＰｒｏＳｅサーバ、ＣＮその他に非ＧＷＴＲＵの周期的カウントを送信するように構成され得る。
【０１１３】
ＧＷＴＲＵが、グループＩＤ当たり送信されたトリガ、および／または受信されたトリガの数を保持するように構成され得る。ＧＷＴＲＵが、グループＩＤ当たり送信されたトリガ、および／または受信されたトリガの数を報告するように構成され得る。ＧＷＴＲＵが、例えば、グループトリガに応答している可能性があるＷＴＲＵ  ＩＤのリストを保持するように構成され得る。ＧＷＴＲＵが、例えば、グループトリガに応答していない可能性があるＷＴＲＵ  ＩＤのリストを保持するように構成され得る。ＧＷＴＲＵが、ＡＳ、ＰｒｏＳｅサーバ、ＣＮその他に情報を報告するように構成され得る。ＧＷＴＲＵが、グループに関するセキュリティコンテキストを保持するように構成され得る。ＧＷＴＲＵが、ＣＮ、ＰｒｏＳｅサーバ、および／またはＡＳその他から、例えば、構成において提供されるＰＣ５パラメータを保持するように構成され得る。ＧＷＴＲＵが、ＣＮ、ＰｒｏＳｅサーバ、および／またはＡＳその他から、例えば、構成において提供されるＰＣ５パラメータを使用するように構成され得る。ＧＷＴＲＵが、ＣＮ、ＰｒｏＳｅサーバ、および／またはＡＳその他から、例えば、構成において提供されるＧＣＳＥパラメータ（例えば、ＴＭＧＩ）を保持するように構成され得る。ＧＷＴＲＵが、トリガメッセージを受信する時間を保持するように構成され得る。
【０１１４】
ＧＷＴＲＵが、ＷＴＲＵのグループ（例えば、グループＩＤによって識別された）に関するグループトリガの受信について肯定応答するように構成され得る。ＧＷＴＲＵが、個別のトリガメッセージの受信について肯定応答するように構成され得る。肯定応答は、グループＩＤがＩＥに含められ得る場合のように、ＳＭＳ層にあることが可能である。肯定応答は、ＩＥに関する値にあることが可能である。肯定応答は、ＩＰ上でＡＳおよび／または類似したものに向かってであることが可能である。肯定応答は、ＰｒｏＳｅサーバ上、および／または類似したものの上であることが可能である。肯定応答は、ＮＡＳ上でＭＭＥ、ＳＧＳＮ、またはＭＳＣ／ＶＬＲその他に向かってであることが可能である。肯定応答するＷＴＲＵは、そのＩＤを含めることが可能である。肯定応答するＷＴＲＵは、ＡＣＫがグループ（例えば、グループＩＤ、個別のＷＴＲＵ）および／または類似するものに関するかどうかを含めることが可能である。肯定応答するＷＴＲＵは、アプリケーションＩＤおよび／または類似したものを含めることが可能である。肯定応答するＷＴＲＵは、トリガメッセージを受信する時間、および／または類似したものを含めることが可能である。
【０１１５】
ＧＷＴＲＵは、ＰＣ５インターフェース上の発見などの発見を開始するように構成され得る。ＧＷＴＲＵは、発見をトリガするように構成され得る。図１８は、ＧＷＴＲＵのトリガ機能に関連付けられたメッセージングチャートの例である。ＧＷＴＲＵが、トリガメッセージが受信された場合、発見を開始するように、またはトリガするように構成され得る。例えば、ＧＷＴＲＵが、トリガメッセージを解析することが可能である。トリガメッセージのコンテンツは、ＧＷＴＲＵが行うべき動作（すなわち、本明細書で説明されるような）を包含することが可能である。例えば、トリガメッセージにおける動作は、ＧＷＴＲＵによって発見が開始されること、またはトリガされることが可能であることを示すことが可能である。
【０１１６】
ＧＷＴＲＵは、それがトリガメッセージを受信した場合、発見の型（例えば、モデルＡ発見、モデルＢ発見）を開始するように、またはトリガするように構成され得る。ＧＷＴＲＵは、発見のために使用すべきＰｒｏＳｅコードで構成され得る。トリガメッセージは、ＰｒｏＳｅパラメータ（例えば、ＰｒｏＳｅコード）の以前に構成された、または割り振られたセットに対するＩＤまたは参照などの、ＧＷＴＲＵによって行われるべき動作および／または使用すべきパラメータに関係付けられた情報を包含することが可能である。トリガメッセージは、ＧＷＴＲＵによって開始されるべき、またはトリガされるべき発見の型を示すことが可能である。トリガメッセージは、発見において使用すべきＰｒｏＳｅパラメータ（例えば、ＰｒｏＳｅコード）に関係付けられた情報を備えることが可能である。ＰｒｏＳｅコードは、直接の発見、中継発見、グループ発見その他のために使用され得るＰｒｏＳｅパラメータおよび／または他のパラメータの例であることが可能である。ＰｒｏＳｅコードは、ＷＴＲＵにおいて構成されること、またはトリガメッセージに含められることが可能である。トリガメッセージは、別のＷＴＲＵからＰＣ５インターフェースを介して受信されるＩＰメッセージ、ＳＭＳ、または他の任意のメッセージであることが可能である。トリガメッセージは、ＳＣＳ／ＡＳ、ＰｒｏＳｅサーバ、または他の任意のネットワークノードから受信されるメッセージであることが可能である。トリガメッセージは、ＭＭＥ、ＳＧＳＮその他などのネットワークノードから受信され得るＮＡＳメッセージであることが可能である。トリガメッセージは、ｅＮＢによって送信されるＲＲＣメッセージであることが可能である。ｅＮＢは、このメッセージを、それがＭＭＥまたは他の任意のノードからそれを受信した後、送信することが可能である。
【０１１７】
ＧＷＴＲＵは、トリガメッセージが受信された場合、開始される発見において使用されるべきＰｒｏＳｅパラメータを用いて事前構成され得る。ＧＷＴＲＵは、ＳＣＳ／ＡＳ、ＰｒｏＳｅ機能、または他の任意のネットワークノードからのＰｒｏＳｅパラメータを用いて事前構成され得る。例えば、図１８において、ＧＷＴＲＵが、トリガメッセージを受信することが可能である。メッセージは、ＳＭＳメッセージ、ＩＰメッセージ（例えば、ＳＣＳ／ＡＳもしくはＰｒｏＳｅサーバからの）、ＰＣ５上のメッセージ、またはＮＡＳメッセージ、またはＲＲＣメッセージ（例えば、ｅＮＢから受信されている可能性がある）、または使用され得る他の任意のプロトコルメッセージであることが可能である。ＧＷＴＲＵが、受信されたトリガメッセージのコンテンツを解析することが可能である。ＧＷＴＲＵは、ＧＷＴＲＵとして動作して、ＰＣ５参照ポイント上で発見を開始するように、またはトリガするように構成され得る。ＧＷＴＲＵは、そのような構成を受信していることが可能である。トリガメッセージは、ＧＷＴＲＵがＰＣ５インターフェース上で発見を開始するインジケーションまたは構成を含むことが可能である。ＧＷＴＲＵは、発見のために使用され得るＰｒｏＳｅパラメータ（例えば、１つまたは複数のＰｒｏＳｅコード）を用いて構成されること、または事前構成されることが可能である。トリガメッセージは、ＰｒｏＳｅパラメータに関係付けられた情報、および／またはＰｒｏＳｅパラメータを備えることが可能である。ＰｒｏＳｅパラメータは、モデルＡ、モデルＢ、中継発見その他などの任意の発見のために使用され得るパラメータであることが可能である。ＧＷＴＲＵが、発見のために使用され得るＰｒｏＳｅパラメータを決定することが可能である。
【０１１８】
図１８において、ＧＷＴＲＵが、オプションとして、ＳＣＳ／Ａｓ、ＰｒｏＳｅサーバ、および／またはＰｒｏＳｅ機能と接触することが可能である。例えば、ＧＷＴＲＵが、ＰｒｏＳｅ機能に応答メッセージを送信することが可能である。応答メッセージは、トリガメッセージの受信を示すことが可能である。ＧＷＴＲＵが、接触されるエンティティから、動作またはＰｒｏＳｅパラメータに関係付けられた情報を受信することが可能である。ＧＷＴＲＵは、例えば、ＰＣ５参照ポイント上で発見を開始することが可能である。ＧＷＴＲＵは、いくつかの、またはすべてのＰｒｏＳｅパラメータ（例えば、１つまたは複数のＰｒｏＳｅコード）を使用することが可能である。ＧＷＴＲＵは、発見メッセージにおいて、発見が、別のエンティティから受信され得るトリガメッセージの結果として開始され得る。ＧＷＴＲＵは、オプションとして、トリガメッセージの発信元を示すことが可能である。発信元情報は、アプリケーションＩＤ、ＰｒｏＳｅサーバＩＤ（例えば、完全修飾ドメインネーム）、ＡＰＮ、発信元ＩＰアドレス、ＰＣ５上でこのトリガメッセージを送信している可能性があるＷＴＲＵの発信元レイヤ２アドレスなどの任意の識別情報であることが可能である。ＧＷＴＲＵは、トリガメッセージがＭＭＥから受信されているか、またはｅＮＢから受信されているか、またはネットワークにおける他の任意のノードから受信されているかに関係付けられたインジケーションを発見において示す、または含めることが可能である。
【０１１９】
ＷＴＲＵが、ＧＷＴＲＵによって送信され得る発見メッセージを受信することが可能である。ＷＴＲＵが、発見メッセージを解析することが可能である。ＷＴＲＵが、メッセージに応答することが可能である。ＷＴＲＵが、ＰｒｏＳｅサーバと接触することなどの、発見メッセージにおいて示された動作を行うことが可能である。ＷＴＲＵは、受信される発見メッセージにおいて使用されるＰｒｏＳｅパラメータを検証することが可能である。ＷＴＲＵは、他のＷＴＲＵから受信される発見メッセージにおいて使用され得るＰｒｏＳｅパラメータを用いて構成され得る。ＷＴＲＵが、受信されるＰｒｏＳｅパラメータをその事前構成されたＰｒｏＳｅパラメータと比較することが可能である。ＷＴＲＵは、ＰｒｏＳｅコードにアクセスを有することが可能である。ＷＴＲＵは、発見メッセージが、この発見メッセージを送信したエンティティによって受信されているトリガメッセージの結果であり得ることを示すことが可能である。受信されるＰｒｏＳｅパラメータは、発見メッセージの受信者によって実行され得る動作を参照することが可能である。例えば、動作は、ＰＣ５上でＳＣＳ／ＡＳ、ＰｒｏＳｅサーバ、または発信元ＷＴＲＵと接触することを含むことが可能である。
【０１２０】
Ｔｓｐインターフェース上のトリガメッセージが使用され得る。例えば、ＭＴＣトリガメッセージが、ＳＭＳであることが可能である。ＳＭＳメッセージが、情報要素を含むことが可能である。情報要素が、ＳＭＳメッセージが複数のＷＴＲＵに適用可能であるというインジケーションを含むことが可能である。情報要素は、転送プロトコル（ＴＰ）ヘッダまたは制御プロトコル（ＣＰ）ヘッダの中にある。例えば、Ｔｓｐインターフェース上の定義された／示されたグループＩＤに宛てられたＳＭＳが使用され得る。ＩＷＦが、グループの一部であり得る１つまたは複数の（例えば、各）ＷＴＲＵに対してＳＭＳをトリガすることが可能である。
【０１２１】
図１５は、ＳＭＳを使用するトリガ機能に関連付けられた例示的なメッセージングチャートを示す。１５１０において、ＳＣＳ／ＡＳ１５０１が、ＩＷＦ１５０２にトリガ要求をサブミットすることが可能である。ＩＷＦ１５０２は、ＭＭＥであることが可能である。トリガ要求は、メッセージおよび／またはグループ識別を含むことが可能である。トリガ要求は、ＭＴＣデバイスのグループに適用可能であり得るＭＴＣトリガメッセージであることが可能である。ＳＣＳ／ＡＳ１５０１が、例えば、グループＩＤを含めて、トリガが意図され得るグループを識別することが可能である。ＩＷＦ１５０２が、トリガ要求を受信することが可能である。
【０１２２】
１５２０において、ＩＷＦ１５０２が、ＳＣＳ／ＡＳ１５０１から送信されたトリガ要求において識別されたグループに関する個別のＷＴＲＵ識別を獲得することが可能である。例えば、ＩＷＦ１５０２は、グループ識別をＭＴＣトリガメッセージから１つまたは複数のＷＴＲＵ識別に変換することが可能である。ＩＷＦ１５０２は、個別のＷＴＲＵメンバに対するグループＩＤのマッピングを保持することが可能である。ＩＷＦ１５０２は、トリガ機構を使用する（例えば、ＳＭＳ上で）ことが可能である。例えば、ＩＷＦ１５０２は、ＩＷＦ１５０２によって保持されるＷＴＲＵメンバに対するグループＩＤのマッピングに基づいて、トリガ機構を使用してメンバＷＴＲＵに対する個別のトリガメッセージを生成する（例えば、ＳＭＳ上で）ことが可能である。ＩＷＦ１５０２は、ＷＴＲＵ識別のうちの１つまたは複数（例えば、それぞれ）に対して個別のＳＭＳメッセージをトリガすることが可能である。
【０１２３】
１５３０において、ＩＷＦ１５０２が、ＷＴＲＵ１のために意図されるトリガメッセージをＳＭＳ−ＳＣ１５０４に送信することが可能である。１５４０において、ＩＷＦ１５０２が、ＷＴＲＵ２のために意図されるトリガメッセージをＳＭＳ−ＳＣ１５０４に送信することが可能である。１５５０および１５６０において、ＳＭＳ−ＳＣ１５０４が、例えば、トリガメッセージが個別のＷＴＲＵ（例えば、ＷＴＲＵ１およびＷＴＲＵ２）に送信されていることが可能である後、トリガの伝送について肯定応答することが可能である。１５７０において、ＩＷＦ１５０２が、例えば、トリガメッセージが個別のＷＴＲＵに送信されていることが可能である後、トリガのサブミットについて肯定応答することが可能である。例えば、ＩＷＦ１５０２が、ＳＣＳ／ＡＳ１５０１にＡＣＫを送信することによってトリガのサブミットについて肯定応答を行うことが可能である。ＩＷＦ１５０２は、ＩＷＦ１５０２が、メンバＷＴＲＵ（例えば、ＷＴＲＵ１およびＷＴＲＵ２）に関してＳＭＳ−ＳＣ１５０４から肯定応答を受信する場合、ＡＣＫを行うことが可能である。ＩＷＦ１５０２は、例えば、グループの一部であるＷＴＲＵに関してＡＣＫを送信することが可能である。
【０１２４】
１５８０および１５９０において、ＩＷＦ１５０２が、１つまたは複数のＷＴＲＵに関してＡＣＫが受信されていない可能性があることを示すことが可能である。ＩＷＦ１５０２が、ＳＣＳ／ＡＳ１５０１に肯定応答要求を送信することが可能である。ＩＷＦ１５０２は、ＡＣＫを受信していない可能性があるＷＴＲＵなどの、ＷＴＲＵに関するグループＩＤをＳＣＳ／ＡＳ１５０１に示すことが可能である。ＩＷＦ１５０２は、ＡＣＫを受信していない可能性があるＷＴＲＵなどの、ＷＴＲＵに関するＷＴＲＵ  ＩＤをＳＣＳ／ＡＳ１５０１に示すことが可能である。
【０１２５】
図１６は、ＳＭＳを使用するトリガ機能に関連付けられた例示的なメッセージングチャートである。１６１０において、ＳＣＳ／ＡＳ１６０１が、ＩＷＦ１６０２にトリガ要求をサブミットすることが可能である。トリガ要求は、メッセージおよび／またはグループ識別を含むことが可能である。ＳＣＳ／ＡＳ１６０１は、例えば、グループＩＤを含めて、トリガが意図され得るグループを識別することが可能である。ＩＷＦ１６０２が、トリガ要求を受信することが可能である。１６２０において、ＩＷＦ１６０２が、ＳＣＳ／ＡＳ１６０１から送信されたトリガ要求において識別されるグループに関して個別のＷＴＲＵ識別を獲得することが可能である。ＩＷＦ１６０２は、個別のＷＴＲＵメンバに対するグループＩＤのマッピングを保持することが可能である。ＩＷＦ１６０２は、トリガ機構を使用する（例えば、ＳＭＳ上で）ことが可能である。例えば、ＩＷＦ１６０２は、ＩＷＦ１６０２によって保持される個別のＷＴＲＵメンバに対するグループＩＤのマッピングに基づいて、トリガ機構を使用して（例えば、ＳＭＳ上で）メンバＷＴＲＵに対する個別のトリガメッセージを生成することが可能である。
【０１２６】
１６３０において、ＭＭＥ１６０５が、例えば、ＩＦＷ１６０２から、かつ／またはＳＭＳ−ＳＣ１６０１からＴ５インターフェース上で、ＳＭＳを伝送する要求を受信することが可能である。要求は、グループＩＤを含むことが可能である。ＳＭＳのために使用されるＭＳＩＳＤＮは、グループＭＳＩＳＤＮであることが可能である。ＳＭＳ伝送に関与させられるノードは、情報（例えば、グループＩＤ、グループＭＳＩＳＤＮ、メンバＷＴＲＵ  ＩＤのリストその他）を包含することが可能である。ＭＭＥ１６０５が、ＳＭＳを伝送する要求を受信することが可能である。
【０１２７】
１６４０および１６４５において、ＭＭＥ１６０５が、メンバＷＴＲＵ１６０６ａ／１６０６ｂにレプリカ（例えば、同一のＳＭＳメッセージ）を送信することが可能である。ＭＭＥ１６０５は、メンバＷＴＲＵ１６０６ａ／１６０６ｂにＳＭＳメッセージを転送することが可能である。ＭＭＥ１６０５は、要求の受信時に、または受信後にＳＭＳメッセージを送信することが可能である。ＷＴＲＵ１６０６ａ／１６０６ｂが、ＭＭＥ１６０５によって送信されたＳＭＳメッセージを受信することが可能である。
【０１２８】
１６５０において、ＭＭＥ１６０５が、例えば、ＷＴＲＵ１６０６ａ／１６０６ｂに代行して、ＳＭＳ−ＳＣ１６０４に肯定応答を送信することが可能である。ＳＭＳ−ＳＣ１６０４が、肯定応答を受信することが可能である。１６６０および１６６５において、ＭＭＥ１６０５が、ＳＭＳ−ＳＣ１６０４にすべてのＡＣＫ、いくつかのＡＣＫ、および／または個別のＡＣＫを転送する（例えば、ＭＭＥ１６０５が処理または理解し得ないＳＭＳレベルで）ことが可能である。ＳＭＳ−ＳＣ１６０４が、ＡＣＫを受信することが可能である。
【０１２９】
図１７は、ＳＭＳを使用するＧＷＴＲＵに関するトリガ機能に関連付けられた例示的なメッセージングチャートである。１７０１において、ＧＷＴＲＵ１７０１が、例えば、ＭＭＥ、ＳＣＳ／ＡＳ、ＩＷＦその他からトリガメッセージを受信することが可能である（例えば、図１５および図１６に示されるとおり）。１７２０において、ＧＷＴＲＵ１７０１が、ＷＴＲＵ１  １７０２に受信されたトリガメッセージを送信することが可能である。ＷＴＲＵ１  １７０２が、トリガメッセージを受信することが可能である。１７３０において、ＷＴＲＵ１  １７０２が、別のＷＴＲＵ、ＷＴＲＵ２  １７０３にトリガメッセージを送信することが可能である。ＷＴＲＵ２  １７０３が、トリガメッセージを受信することが可能である。１７４０において、ＷＴＲＵ１  １７０２が、ＧＷＴＲＵ１７０１にトリガメッセージが受信されたという肯定応答を送信することが可能である。１７５０において、ＷＴＲＵ２  １７０３が、ＧＷＴＲＵ１７０１にトリガメッセージが受信されたという肯定応答を送信することが可能である。ＧＷＴＲＵ１７０１が、ＷＴＲＵ１  １７０２および／またはＷＴＲＵ２  １７０３からＡＣＫを受信することが可能である。１７６０において、ＧＷＴＲＵ１７０１が、ＧＷＴＲＵ１７０１がメンバＷＴＲＵ（例えば、ＷＴＲＵ１  １７０２および／またはＷＴＲＵ２  １７０３）からＡＣＫを受信することが可能である後などに、グループに関するＡＣＫを送信することが可能である。
【０１３０】
特徴および要素は、特定の組合せにおいて上述されるものの、当業者は、各特徴または各要素が、単独で、またはその他の特徴および要素と任意の組合せで使用され得ることを認識する。さらに、本明細書で説明される方法は、コンピュータまたはプロセッサによって実行されるようにコンピュータ可読媒体に組み込まれたコンピュータプログラム、ソフトウェア、またはファームウェアにおいて実施され得る。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、ならびにＣＤ−ＲＯＭディスクおよびデジタルバーサタイルディスク（ＤＶＤ）などの光媒体を含むが、以上には限定されない。ソフトウェアに関連するプロセッサが、ＷＴＲＵ、ＵＥ、端末装置、基地局、ＲＮＣ、または任意のホストコンピュータにおいて使用するための無線周波数トランシーバを実施するのに使用され得る。
【図１Ａ】
0006449912.tif 000002
【図１Ｂ】
0006449912.tif 000003
【図１Ｃ】
0006449912.tif 000004
【図１Ｄ】
0006449912.tif 000005
【図１Ｅ】
0006449912.tif 000006
【図２】
0006449912.tif 000007
【図３】
0006449912.tif 000008
【図４】
0006449912.tif 000009
【図５】
0006449912.tif 000010
【図６】
0006449912.tif 000011
【図７】
0006449912.tif 000012
【図８】
0006449912.tif 000013
【図９】
0006449912.tif 000014
【図１０】
0006449912.tif 000015
【図１１】
0006449912.tif 000016
【図１２】
0006449912.tif 000017
【図１３】
0006449912.tif 000018
【図１４】
0006449912.tif 000019
【図１５】
0006449912.tif 000020
【図１６】
0006449912.tif 000021
【図１７】
0006449912.tif 000022
【図１８】
0006449912.tif 000023